(57)【要約】【課題】簡単で容易に保安性を向上できる保安システムを提供する。【解決手段】ネットワーク１１０を介してコンテンツデータおよび撮像にて生成した映像データを送信元端末装置３００から受信したサーバ装置２００は、フォーム情報に基づいてウェブログのウェブページとして、ネットワーク１１０を介してアクセス要求に基づいて受信端末装置５００へ配信する。映像データに不審者などの異常状況を認識した受信者がウェブページの報知入力コマンド部を入力操作すると、サーバ装置２００は送信元情報に基づいてメッセージ情報を送信元携帯通信端末装置４００へ送信する。【選択図】図１
2008027314.tif 000002
【特許請求の範囲】
【請求項１】
ネットワークを介して送信されるコンテンツデータを送信元毎に設定されたウェブページに記述して前記ネットワークを介して前記ウェブページを送信可能に蓄積する保安装置であって、
前記ネットワークを介して前記送信元から前記送信元毎の固有の識別情報、前記コンテンツデータおよび画像データを取得するデータ取得手段と、
前記コンテンツデータが記述されるコンテンツ記述領域、このコンテンツ記述領域に隣接して前記ウェブページを受信する受信端末の表示手段で前記画像データを画面表示可能に表示させる表示領域、および、前記表示領域に隣接し前記表示手段にて入力操作を促す旨で表示される入力操作可能な入力部、を有し、前記表示手段にて前記コンテンツデータおよび前記画像データが記述されて前記ウェブページとして画面表示させる所定のフォームに関するフォーム情報を記憶するフォーム記憶手段と、
前記送信元毎の固有の識別情報、前記送信元毎の連絡先に関する連絡先情報および前記送信元毎のウェブページのアドレスに関するアドレス情報を関連付けて１つのデータ構造の送信元情報として複数記憶するテーブル構造の送信元情報記憶手段と、
前記識別情報、前記コンテンツデータおよび前記画像データを関連付けて１つのデータ構造のウェブページ情報として複数記憶するウェブページ情報記憶手段と、
前記入力部の入力操作が実施されたことを認識すると、この入力操作された入力部を有する前記ウェブページのアドレス情報に基づいてこのアドレス情報に関連付けられた前記連絡先情報を前記送信元情報記憶手段から検出し、この検出した連絡先へ所定のメッセージに関するメッセージ情報を送信させる制御手段と、
を具備したことを特徴とした保安装置。
【請求項２】
請求項１に記載の保安装置であって、
前記フォーム記憶手段に記憶された前記フォーム情報は、前記表示領域に隣接し前記表示手段にて入力操作およびこの入力操作にて音声入力を促す旨で表示され入力操作により音声入力された音声データを生成する音声入力部を有し、
前記制御手段は、前記生成された音声データを、入力操作された音声入力部を有する前記ウェブページのアドレス情報のアドレス先へ送信する
ことを特徴とした保安装置。
【請求項３】
請求項１または請求項２に記載の保安装置であって、
時間を計時する計時手段と、
前記入力部が入力操作された回数を計数する入力操作計数手段と、を具備し、
前記送信元情報は、前記識別情報に関連付けられた時間長に関する時間情報および前記入力部が入力操作される閾値回数に関する回数情報を有し、
前記制御手段は、前記入力部の入力操作が実施されたことを認識すると、この入力操作が実施された時点から前記計時手段で計時する時間が前記時間情報の時間長を経過するまでに前記入力操作計数手段にて計数する前記入力部の入力操作の実施された回数が前記回数情報の閾値回数に到達したことを認識すると、前記連絡先へ前記所定のメッセージ情報を送信させる
ことを特徴とした保安装置。
【請求項４】
請求項３に記載の保安装置であって、
前記送信元情報は、前記送信元から前記ネットワークを介して送信させる変更要求信号に基づいて、前記送信元が前記時間情報と前記回数情報とのうちの少なくともいずれか一方を変更可能に前記送信元情報記憶手段に記憶された
ことを特徴とした保安装置。
【請求項５】
請求項１ないし請求項４のいずれかに記載の保安装置であって、
前記送信元情報記憶手段に記憶された前記送信元情報は、前記識別情報に関連付けられた所定の受信元に関する受信元情報を有し、
前記制御手段は、前記入力部の入力操作が実施されたことを認識すると、前記送信元情報の受信元情報に基づいて、前記入力部の入力操作を実施した受信元が所定の受信元か否かを判断し、所定の受信元であることを認識すると、前記連絡先へ所定のメッセージ情報を送信させる
ことを特徴とした保安装置。
【請求項６】
請求項５に記載の保安装置であって、
前記送信元情報は、前記送信元から前記ネットワークを介して送信される変更要求信号に基づいて、前記受信元情報を設定変更可能に前記送信元情報記憶手段に記憶された
ことを特徴とした保安装置。
【請求項７】
請求項５または請求項６に記載の保安装置であって、
前記送信元情報の前記受信元情報は、前記ウェブページの受信権限に関する受信権限情報である
ことを特徴とした保安装置。
【請求項８】
請求項７に記載の保安装置であって、
前記受信元情報は、他の前記送信元の識別情報である
ことを特徴とした保安装置。
【請求項９】
請求項１ないし請求項８のいずれかに記載の保安装置であって、
前記ウェブページは、ウェブログである
ことを特徴とした保安装置。
【請求項１０】
請求項９に記載の保安装置であって、
前記フォーム情報は、前記コンテンツ記述領域が前記表示領域とは独立して前記コンテンツデータをスクロールさせるスクロール機能を備えた
ことを特徴とした保安装置。
【請求項１１】
請求項１ないし請求項１０のいずれかに記載の保安装置であって、
前記フォーム情報は、前記送信元から前記ネットワークを介して送信される切替要求信号に基づいて、前記画像データの前記表示手段での表示の有無が切替可能に構築された
ことを特徴とした保安装置。
【請求項１２】
撮像により画像データを生成する撮像手段を有し前記ネットワークを介して前記画像データおよびコンテンツデータを送信可能な送信元端末装置と、
前記ネットワークを介して前記送信元端末装置から送信される前記画像データおよび前記コンテンツデータを取得し、これら取得した画像データおよびコンテンツデータを所定のフォームに記述して前記送信元毎に設定されるウェブページとして受信端末装置の表示手段で画面表示可能に前記ネットワークを介して配信する請求項１ないし請求項１１のいずれかに記載の保安装置と、
を具備したことを特徴とした保安システム。
【請求項１３】
演算手段により、ネットワークを介して送信されるコンテンツデータを送信元毎に設定されたウェブページに記述して前記ネットワークを介して前記ウェブページを送信可能に蓄積する保安方法であって、
前記演算手段は、
前記送信元毎の固有の識別情報、前記送信元毎の連絡先に関する連絡先情報および前記送信元毎のウェブページのアドレスに関するアドレス情報を関連付けて１つのデータ構造の送信元情報として複数記憶するテーブル構造の送信元情報記憶手段と、前記識別情報、前記コンテンツデータおよび前記送信元から送信される画像データを関連付けて１つのデータ構造のウェブページ情報として複数記憶するウェブページ情報記憶手段と、を用い、
前記ウェブページのアドレスに関するアドレス情報およびこのアドレス情報のアドレスに対応する所定の前記ウェブページの前記ネットワークを介した送信を要求する旨の要求信号を認識すると、前記送信元情報記憶手段から前記認識したアドレス情報に関連付けられた識別情報を検索し、前記ウェブページ情報記憶手段から前記検出した識別情報に関連付けられた前記コンテンツデータおよび前記画像データを、前記要求信号を送信した受信端末の表示手段で前記コンテンツデータが記述されるコンテンツ記述領域に隣接する状態で前記画像データが画面表示され、かつ前記画像データが画面表示される表示領域に隣接して入力操作を促す旨で入力操作可能な入力部が表示される前記ウェブページを表示させるウェブページ送信工程と、
前記入力部の入力操作が実施されたことを認識すると、この入力部が入力操作された前記ウェブページのアドレス情報に関連付けられた前記送信元情報の連絡先情報の連絡先へ所定のメッセージに関するメッセージ情報を送信させる報知工程と、を実施する
ことを特徴とする保安方法。
【請求項１４】
演算手段を、請求項１ないし請求項１１のいずれかに記載の保安装置、または請求項１２に記載の保安システムとして機能させる
ことを特徴とした保安プログラム。
【請求項１５】
請求項１３に記載の保安方法を演算手段に実行させる
ことを特徴とした保安プログラム。
【請求項１６】
請求項１４または請求項１５に記載の保安プログラムが演算手段で読取可能に記録された
ことを特徴とした保安プログラムを記録した記録媒体。
【発明の詳細な説明】
【技術分野】
【０００１】
本発明は、ネットワークを介して送信元から送信されるコンテンツデータを所定のフォームで閲覧可能に配信する保安装置、そのシステム、その方法、そのプログラム、および、そのプログラムを記録した記録媒体に関する。
【背景技術】
【０００２】
従来、例えばインターネットなどで、いわゆるサイトと称され文章データや音声データ、画像データなどのコンテンツ情報を蓄積し閲覧や縦覧可能にコンテンツ情報を配信する各種コンテンツ情報の配信システムが利用されている。このようなコンテンツ情報の配信システムとして、ライブコンテンツを配信する構成が知られている（例えば、特許文献１参照）。
この特許文献１に記載のものは、情報センタに登録した送信者が、通信ネットワークに常時接続されたコンテンツ送受信装置の撮像手段で撮影し、撮像した映像情報を符号化してストリームデータを生成し、通信ネットワークを介して情報センタへ送信する。そして、受信者が通信ネットワークを介して情報センタにアクセスし、送信者が送信したライブストリーミング用コンテンツを受信する構成が採られている。
【０００３】
【特許文献１】特開２００４−１４５６２１号公報
【発明の開示】
【発明が解決しようとする課題】
【０００４】
ところで、近年、例えば防犯を目的として家屋の玄関や門扉などに設置したＣＣＤ（Charge Coupled Device）カメラやビデオカメラなどの撮像装置を利用し、撮像装置で撮像した画像データを、家庭内に設置された端末装置やセキュリティ企業に設置された専用の端末装置でネットワークを介して取得する構成が利用されている。
このような防犯などの目的に、上記特許文献１に記載のような構成を利用することが考えられる。しかしながら、撮像装置で撮像した画像データを家庭の端末装置で確認する場合、防犯機能を高めるためには端末装置で監視し続ける必要があり、防犯性にあまり有効ではない。したがって、専用のセキュリティ企業にて監視することで防犯性を高めることとなるが、運用コストが掛かり、利用の拡大が得られにくい。
【０００５】
本発明は、このような実情などに鑑みて、簡単で容易に保安性を向上できる保安装置、そのシステム、その方法、そのプログラム、および、そのプログラムを記録した記録媒体を提供することを目的とする。
【課題を解決するための手段】
【０００６】
本発明に記載の保安装置は、ネットワークを介して送信されるコンテンツデータを送信元毎に設定されたウェブページに記述して前記ネットワークを介して前記ウェブページを送信可能に蓄積する保安装置であって、前記ネットワークを介して前記送信元から前記送信元毎の固有の識別情報、前記コンテンツデータおよび画像データを取得するデータ取得手段と、前記コンテンツデータが記述されるコンテンツ記述領域、このコンテンツ記述領域に隣接して前記ウェブページを受信する受信端末の表示手段で前記画像データを画面表示可能に表示させる表示領域、および、前記表示領域に隣接し前記表示手段にて入力操作を促す旨で表示される入力操作可能な入力部、を有し、前記表示手段にて前記コンテンツデータおよび前記画像データが記述されて前記ウェブページとして画面表示させる所定のフォームに関するフォーム情報を記憶するフォーム記憶手段と、前記送信元毎の固有の識別情報、前記送信元毎の連絡先に関する連絡先情報および前記送信元毎のウェブページのアドレスに関するアドレス情報を関連付けて１つのデータ構造の送信元情報として複数記憶するテーブル構造の送信元情報記憶手段と、前記識別情報、前記コンテンツデータおよび前記画像データを関連付けて１つのデータ構造のウェブページ情報として複数記憶するウェブページ情報記憶手段と、前記入力部の入力操作が実施されたことを認識すると、この入力操作された入力部を有する前記ウェブページのアドレス情報に基づいてこのアドレス情報に関連付けられた前記連絡先情報を前記送信元情報記憶手段から検出し、この検出した連絡先へ所定のメッセージに関するメッセージ情報を送信させる制御手段と、を具備したことを特徴とする。
この発明では、ネットワークを介して送信元から送信されるコンテンツデータおよび画像データを、フォーム情報により、コンテンツ記述領域にコンテンツデータが記述され、コンテンツ記述領域に隣接した表示領域に画像データが画面表示され、表示領域に隣接して入力操作を促す旨で入力操作可能な入力部が表示されるウェブページとして配信する。そして、制御手段により、受信端末にて入力部が入力操作されたことを認識すると、入力部が入力操作されたウェブページのアドレス情報に関連付けられた送信元情報の連絡先情報の連絡先へ、例えば音声情報や電子メールなどの所定のメッセージに関するメッセージ情報を送信させる。
このことにより、例えばいわゆるブログ（blog）と称され広く利用されているウェブログ（web-log）など、コンテンツデータを送信することで所定のフォームのウェブページ（web page）として適宜更新されて配信される構成に、撮像装置などにより撮像した映像や所定間隔毎の静止画像などの画像データを合わせて表示させることで、不審者や火災などの異常状況が撮像されている場合、ウェブページのコンテンツデータを受信端末で閲覧や縦覧している受信者が認識することとなる。このため、異常状況を認識した受信者が入力部を入力操作することで、そのウェブページのコンテンツデータを送信する送信元に所定のメッセージ情報が送信され、異常状況が報知される。したがって、セキュリティ企業などを利用したり、高価なセキュリティ装置を利用したりすることなく、送信元はコンテンツデータおよび画像データを送信する簡単な操作で異常状況に対して早急に対応することが可能となり、例えばウェブログのフォームを一部変更する簡単な構成で容易に構築でき、保安性が容易に向上できるとともに、利用の拡大が容易に得られ、より保安性の向上が容易に得られる。
【０００７】
そして、本発明では、請求項１に記載の保安装置であって、前記フォーム記憶手段に記憶された前記フォーム情報は、前記表示領域に隣接し前記表示手段にて入力操作およびこの入力操作にて音声入力を促す旨で表示され入力操作により音声入力された音声データを生成する音声入力部を有し、前記制御手段は、前記生成された音声データを、入力操作された音声入力部を有する前記ウェブページのアドレス情報のアドレス先へ送信する構成とすることが好ましい。
この発明では、制御手段により、ウェブページのフォームにおける表示領域に隣接し受信端末の表示手段で入力操作可能で入力操作にて音声入力を促す旨で表示される音声入力部が操作されると、そのウェブページのアドレス情報のアドレス先へ、音声入力部で生成した音声データを送信させる。
このことにより、ウェブページを受信して異常状況を認識した受信者が音声入力部を入力操作して音声データを生成すると、その音声データがウェブページの送信元へ送信されるので、不審者などに対して受信者が直ちに音声にて対応する状況が容易に得られ、より保安性の向上が容易に得られる。
【０００８】
また、本発明では、請求項１または請求項２に記載の保安装置であって、時間を計時する計時手段と、前記入力部が入力操作された回数を計数する入力操作計数手段と、を具備し、前記送信元情報は、前記識別情報に関連付けられた時間長に関する時間情報および前記入力部が入力操作される閾値回数に関する回数情報を有し、前記制御手段は、前記入力部の入力操作が実施されたことを認識すると、この入力操作が実施された時点から前記計時手段で計時する時間が前記時間情報の時間長を経過するまでに前記入力操作計数手段にて計数する前記入力部の入力操作の実施された回数が前記回数情報の閾値回数に到達したことを認識すると、前記連絡先へ前記所定のメッセージ情報を送信させる構成とすることが好ましい。
この発明では、送信元情報の識別情報に、時間長に関する時間情報および入力部が入力操作される閾値回数に関する回数情報を関連付けておく。そして、制御手段により、入力部の入力操作が実施されたことを認識すると、この入力操作が実施された時点から計時手段で計時する時間が時間情報の時間長を経過するまでに、入力操作計数手段で計数する入力部の入力操作の実施された回数が回数情報の閾値回数に達したことを認識すると、ウェブページの送信元の連絡先へ所定のメッセージ情報を送信させる。
このことにより、所定時間長の間に入力部の入力操作の実施回数がある程度の回数で実施されることで、入力部の誤操作などではなく異常状況が発生している蓋然性が高いこととなり、この異常状況がメッセージを送信元へ連絡することで、入力部の誤操作毎にメッセージが送信されることの煩雑さなどを防止して、適切に異常状況に対応することが可能となる。
【０００９】
さらに、本発明では、請求項３に記載の保安装置であって、前記送信元情報は、前記送信元から前記ネットワークを介して送信させる変更要求信号に基づいて、前記送信元が前記時間情報と前記回数情報とのうちの少なくともいずれか一方を変更可能に前記送信元情報記憶手段に記憶された構成とすることが好ましい。
この発明では、送信元情報の時間情報の時間長と回数情報の閾値回数とを、送信元からネットワークを介して送信される変更要求信号に基づいて、変更可能としている。
このことにより、メッセージ情報が送信される条件となる単位時間当たりの入力部の入力操作状況が、メッセージ情報を取得する送信元により変更可能であることから、例えばウェブページの閲覧や縦覧などのアクセス頻度や保安性と誤操作との兼ね合いなどによりメッセージ情報の取得頻度が送信元毎の指向に応じて変更可能となり、使い勝手が向上し、利用の拡大が容易に得られる。
【００１０】
そして、本発明では、請求項１ないし請求項４のいずれかに記載の保安装置であって、前記送信元情報記憶手段に記憶された前記送信元情報は、前記識別情報に関連付けられた所定の受信元に関する受信元情報を有し、前記制御手段は、前記入力部の入力操作が実施されたことを認識すると、前記送信元情報の受信元情報に基づいて、前記入力部の入力操作を実施した受信元が所定の受信元か否かを判断し、所定の受信元であることを認識すると、前記連絡先へ所定のメッセージ情報を送信させる構成とすることが好ましい。
この発明では、送信元情報の識別情報に、所定の受信元に関する受信元情報を関連付けておく。そして、制御手段により、入力部の入力操作が実施されたことを認識すると、送信元情報の受信元情報に基づいて、入力部の入力操作を実施した受信元が所定の受信元か否かを判断する。例えば、ウェブページの閲覧を会員制として会員登録により設定されたＩＤ（identification）番号やパスワードなどの受信元情報が閲覧のために受信元が設定入力したことで認識したり、ウェブページのフォームに設けられ送信元からあらかじめ報知されたパスワードなどの受信元情報が入力されるテキストボックスなどに受信者が設定入力したことで認識したりするなどにより、受信元か否かを判断できる。そして、送信元が知人や所定のグループメンバなどとして信頼関係が得られた所定の受信元の入力部の入力操作が実施されることで、誤操作などではなく異常状況が発生した蓋然性が高いこととなるので、直ちにメッセージ情報を送信元へ送信させることで、より適切な異常状況の発生を報知でき、適切な保安が得られる。
【００１１】
さらに、本発明では、請求項５に記載の保安装置であって、前記送信元情報は、前記送信元から前記ネットワークを介して送信される変更要求信号に基づいて、前記受信元情報を設定変更可能に前記送信元情報記憶手段に記憶された構成とすることが好ましい。
この発明では、送信元情報の受信元情報を、送信元からネットワークを介して送信される変更要求情報に基づいて、変更可能としている。
このことにより、誤操作などではなく異常状況が発生した蓋然性が高い信頼関係が得られた受信元を送信元により変更可能であることから、より使い勝手が向上し、利用の拡大が容易に得られる。
【００１２】
そして、本発明では、請求項５または請求項６に記載の保安装置であって、前記送信元情報の前記受信元情報は、前記ウェブページの受信権限に関する受信権限情報である構成とすることが好ましい。
この発明では、送信元情報の識別情報に関連付けられた受信元情報を、ウェブページの受信権限に関する受信権限情報としている。
このことにより、例えば送信元やウェブページの配信サーバなどから受信権限が付与され身元確認が得られる受信元や送信元との信頼関係が得られた所定の受信元など、画像データに基づく異常状況に対応した信憑性の高い入力部の入力操作によるメッセージ情報の送信が得られ、適切な保安が容易に得られる。
【００１３】
さらに、本発明では、請求項７に記載の保安装置であって、前記受信元情報は、他の前記送信元の識別情報である構成とすることが好ましい。
この発明では、受信元情報を他の送信元の識別情報としている。
このことにより、ウェブページの送信元として設定される識別情報を利用することで、例えば会員登録に基づいて設定される識別情報を受信元情報としても利用され、適切な保安が容易に得られる構成が容易に得られる。
【００１４】
また、本発明では、請求項１ないし請求項８のいずれかに記載の保安装置であって、前記ウェブページは、ウェブログである構成とすることが好ましい。
この発明では、送信元がコンテンツデータを記述するウェブページをウェブログとしている。
このことにより、広く利用され、コンテンツデータおよび画像データを送信することで所定のフォームによりウェブページとして配信される使い勝手がよいウェブログであることから、利用が容易で利用の拡大が容易に得られるとともに、コンテンツデータの内容などによりアクセス頻度が容易に増大し、受信元のアクセスによる異常状況の発生の認知性が容易に向上しやすく、簡単な構成で利用が容易な適切な保安が容易に得られる。
【００１５】
そして、本発明では、請求項９に記載の保安装置であって、前記フォーム情報は、前記コンテンツ記述領域が前記表示領域とは独立して前記コンテンツデータをスクロールさせるスクロール機能を備えた構成とすることが好ましい。
この発明では、ウェブページとしてコンテンツデータが記述されるコンテンツ記述領域を、画像データが画面表示される表示領域とは独立してコンテンツデータをスクロールさせるスクロール機能を備えたフォームとしている。
このことにより、アクセス頻度を増大させるべく新たなコンテンツデータを頻繁に更新しても、スクロール機能により過去に記述されたコンテンツデータも容易に閲覧・縦覧ができ、過去の記述内容を受信元で閲覧していても、画像データの表示領域は独立して受信元で視界に入るように常時表示させることが容易となり、異常状況の発生の認知性が簡単な構成で容易に向上させることができる。
【００１６】
また、本発明では、請求項１ないし請求項１０のいずれかに記載の保安装置であって、前記フォーム情報は、前記送信元から前記ネットワークを介して送信される切替要求信号に基づいて、前記画像データの前記表示手段での表示の有無が切替可能に構築された構成とすることが好ましい。
この発明では、送信元からネットワークを介して送信される切替要求信号に基づいて、ウェブページとして表示領域で表示される画像データの表示手段における表示の有無を切替可能としている。
このことにより、例えば送信元自身や送信元の家族などが画像データとして撮像している場所近傍に滞在している場合など、メッセージ情報の送信を必要としない場合では、送信元が切替要求信号を送信することで、画像データを表示させない、あるいは表示領域を表示させないなどの状態が容易に設定され、より使い勝手のよく適切な保安が容易に得られる。
【００１７】
本発明に記載の保安システムは、撮像により画像データを生成する撮像手段を有し前記ネットワークを介して前記画像データおよびコンテンツデータを送信可能な送信元端末装置と、
前記ネットワークを介して前記送信元端末装置から送信される前記画像データおよび前記コンテンツデータを取得し、これら取得した画像データおよびコンテンツデータを所定のフォームに記述して前記送信元毎に設定されるウェブページとして受信端末装置の表示手段で画面表示可能に前記ネットワークを介して配信する請求項１ないし請求項１１のいずれかに記載の保安装置と、を具備したことを特徴とした保安システムである。
この発明では、ネットワークを介してコンテンツデータを送信する送信元端末装置の撮像手段で撮像により生成した画像データを送信すると、送信された画像データおよびコンテンツデータを取得して所定のフォームに記述し、受信端末装置の表示手段で画面表示可能に送信元毎に設定されるウェブページとしてネットワークを介して、請求項１ないし請求項１１のいずれかに記載の保安装置で配信させる。
このことにより、簡単な構成で保安性が容易に向上でき利用の拡大が容易に得られる請求項１ないし請求項１１のいずれかに記載の保安装置を利用するので、送信元では従来のコンテンツデータの送信の他、監視が必要な場所を撮像できるなどの所定の位置に設置された撮像装置により撮像した画像データを送信させるのみで、ウェブページを閲覧・縦覧する受信者からの入力操作に基づく所定のメッセージ情報を、あらかじめ連絡先として登録した連絡先で受信するので、撮像する場所での異常状況を容易に認識でき、容易に保安が得られる。
【００１８】
本発明に記載の保安方法は、演算手段により、ネットワークを介して送信されるコンテンツデータを送信元毎に設定されたウェブページに記述して前記ネットワークを介して前記ウェブページを送信可能に蓄積する保安方法であって、前記演算手段は、前記送信元毎の固有の識別情報、前記送信元毎の連絡先に関する連絡先情報および前記送信元毎のウェブページのアドレスに関するアドレス情報を関連付けて１つのデータ構造の送信元情報として複数記憶するテーブル構造の送信元情報記憶手段と、前記識別情報、前記コンテンツデータおよび前記送信元から送信される画像データを関連付けて１つのデータ構造のウェブページ情報として複数記憶するウェブページ情報記憶手段と、を用い、前記ウェブページのアドレスに関するアドレス情報およびこのアドレス情報のアドレスに対応する所定の前記ウェブページの前記ネットワークを介した送信を要求する旨の要求信号を認識すると、前記送信元情報記憶手段から前記認識したアドレス情報に関連付けられた識別情報を検索し、前記ウェブページ情報記憶手段から前記検出した識別情報に関連付けられた前記コンテンツデータおよび前記画像データを、前記要求信号を送信した受信端末の表示手段で前記コンテンツデータが記述されるコンテンツ記述領域に隣接する状態で前記画像データが画面表示され、かつ前記画像データが画面表示される表示領域に隣接して入力操作を促す旨で入力操作可能な入力部が表示される前記ウェブページを表示させるウェブページ送信工程と、前記入力部の入力操作が実施されたことを認識すると、この入力部が入力操作された前記ウェブページのアドレス情報に関連付けられた前記送信元情報の連絡先情報の連絡先へ所定のメッセージに関するメッセージ情報を送信させる報知工程と、を実施することを特徴とする。
この発明では、演算手段により、ウェブページのアドレスに関するアドレス情報およびこのアドレス情報のアドレスに対応する所定のウェブページのネットワークを介した送信を要求する旨の要求信号を認識すると、ウェブページ送信工程を実施する。すなわち、演算手段は、ネットワークを介して送信元から送信されたコンテンツデータおよび画像データを、要求信号を送信した受信端末の表示手段で互いに隣接するコンテンツ記述領域および表示領域で画面表示される状態でかつ表示領域に隣接し入力操作を促す旨で入力操作可能に入力部が表示される状態のウェブページを送信させる。そして、演算手段は、送信したウェブページの入力部が入力操作されたことを認識すると、このウェブページのアドレス情報に関連付けられた送信元情報の連絡先情報の連絡先へ所定のメッセージに関するメッセージ情報を送信させる報知工程を実施する。
このことにより、例えばいわゆるブログ（blog）と称され広く利用されているウェブログ（web-log）など、コンテンツデータを送信することで所定のフォームのウェブページ（web page）として適宜更新されて配信される構成に、撮像装置などにより撮像した映像や所定間隔毎の静止画像などの画像データを合わせて表示させることで、不審者や火災などの異常状況が撮像されている場合、ウェブページのコンテンツデータを受信端末で閲覧や縦覧している受信者が認識することとなる。このため、異常状況を認識した受信者が入力部を入力操作することで、そのウェブページのコンテンツデータを送信する送信元に所定のメッセージ情報が送信され、異常状況が報知される。したがって、セキュリティ企業などを利用したり、高価なセキュリティ装置を利用することなく、送信元はコンテンツデータおよび画像データを送信する簡単な操作で異常状況に対して早急に対応することが可能となり、例えばウェブログのフォームを一部変更する簡単な構成で容易に構築でき、保安性が容易に向上できるとともに、利用の拡大が容易に得られ、このことによりさらなる保安性の向上が容易に得られる。
【００１９】
本発明に記載の保安プログラムは、演算手段を、請求項１ないし請求項１１のいずれかに記載の保安装置、または請求項１２に記載の保安システムとして機能させることを特徴とする。
この発明では、簡単な構成で容易に構築でき、保安性が容易に向上できるとともに、利用の拡大が容易に得られ、このことによりさらなる保安性の向上が容易に得られる請求項１ないし請求項１１のいずれかに記載の保安装置、または請求項１２に記載の保安システムとして、演算手段を機能させる。
このことにより、コンピュータなどにインストールするなどにより、容易に構築でき、利用の拡大が容易に得られる。
【００２０】
本発明に記載の保安プログラムは、請求項１３に記載の保安方法を演算手段に実行させることを特徴とする。
この発明では、簡単な構成で容易に構築でき、保安性が容易に向上できるとともに、利用の拡大が容易に得られ、このことによりさらなる保安性の向上が容易に得られる請求項１３に記載の保安方法を演算手段に実行させる。
このことにより、コンピュータにインストールするなどにより、容易に実施でき、利用の拡大が容易に得られる。
【００２１】
本発明に記載の保安プログラムを記述した記録媒体は、請求項１４または請求項１５に記載の保安プログラムが演算手段で読取可能に記録されたことを特徴とする。
この発明では、容易に構築でき利用の拡大が容易に得られる請求項１４に記載の保安プログラム、または容易に実施でき利用の拡大が容易に得られる請求項１５の保安プログラムを記録媒体に記録している。
このことにより、保安プログラムの取り扱いが容易で、より利用の拡大が容易に得られる。
【発明を実施するための最良の形態】
【００２２】
以下、本発明の保安装置を備えた保安システムに係る一実施の形態を図面に基づいて説明する。
図１は、本発明の一実施の形態に係る保安システムの概略構成を示すブロック図である。図２は、保安システムを構成する送信元端末装置の概略構成を示すブロック図である。図３は、保安システムを構成する受信端末装置の概略構成を示すブロック図である。図４は、保安システムを構成するサーバ装置の概略構成を示すブロック図である。図５は、サーバ装置の送信元情報記憶領域のテーブル構造を模式的に示す概念図である。図６は、サーバ装置の保安条件情報記憶領域のテーブル構造を模式的に示す概念図である。図７は、ウェッブブラウザによる画面表示で表示されるウェブファイルのブログであるウェブページの表示画面を示す概念図である。
【００２３】
〔保安システムの構成〕
図１において、１００は保安システムであり、この保安システム１００は、ネットワーク１１０を介して送信元から送信されるコンテンツデータを所定のウェブページ（web page）としてのウェブログ（web-log）であるいわゆるブログ（blog）として配信するシステムで、ブログ上に画像データとしての映像データを逐次表示させて、ブログを閲覧している受信者により、送信元に異常状況の発生を報知する保全のためのシステムである。
このネットワーク上に配信されるブログとして、例えばウェッブ（Ｗｅｂ）ブラウザ上でウェブページとして閲覧可能なＨＴＭＬ（HyperText Markup Language）にて記述されたウェブファイル（web file）に基づいて構成される。なお、本実施の形態では、ＨＴＭＬに基づくウェブファイルで作成する例を示すが、これに限定されず、例えばＸＭＬ（eXtensible Markup Language）などの他のウェブ言語やPerl（Practical Extraction and Report Language）などのインタープリタ言語など、その他の各種言語形態で記述されたデータを作成する構成が適用できる。
そして、この保安システム１００は、サーバ装置２００と、送信元端末装置３００と、送信元携帯通信端末装置４００と、受信端末装置５００と、を備え、ネットワーク１１０を介して、送信元端末装置３００、送信元携帯通信端末装置４００、および受信端末装置５００がサーバ装置２００と、各種情報を送受信可能に接続されて構成されている。
【００２４】
ここで、ネットワーク１１０としては、例えば、ＴＣＰ（Transmission Control Protocol）／ＩＰ（Internet Protocol）などの汎用のプロトコルに基づくインターネット、イントラネット、ＬＡＮ(Local Area Network)、無線媒体により情報が送受信可能な複数の基地局１１１がネットワークを構成する通信回線網や放送網などのネットワーク、さらには、サーバ装置２００と送信元端末装置３００、送信元携帯通信端末装置４００、および受信端末装置５００とで情報を直接送受信するための媒体となる無線媒体自体などが例示できる。
ここで、無線媒体としては、電波、光、音波、電磁波などのいずれの媒体をも適用できる。
【００２５】
送信元端末装置３００は、ネットワーク１１０を介して、サーバ装置２００と各種情報を送受信可能に接続される。この送信元端末装置３００は、ネットワーク１１０を介して接続するサーバ装置２００へのアクセスにより、詳細は後述するブログのウェブページを構成するコンテンツデータや映像データを送信し、ウェブページを適宜更新させる。
そして、送信元端末装置３００は、図２に示すように、送信元通信手段３１０と、送信元撮像手段３２０と、送信元操作手段３３０と、送信元発音手段３４０と、送信元表示手段３５０と、送信元記憶手段３６０と、送信元制御手段３７０と、などを備えている。
【００２６】
送信元通信手段３１０は、ネットワーク１１０を介して送信元端末装置３００とサーバ装置２００とで各種情報を送受信させる。
この送信元通信手段３１０は、ネットワーク１１０を介して入力されるサーバ信号などに対してあらかじめ設定されている入力インターフェース処理を実行し、処理サーバ信号などとして送信元制御手段３７０へ出力する。また、送信元通信手段３１０は、送信元制御手段３７０からサーバ装置２００などに対して送信すべき送信元処理信号が入力されると、入力された送信元処理信号に対してあらかじめ設定されている出力インターフェース処理を実行し、送信元信号としてネットワーク１１０を介してサーバ装置２００あるいはさらに他のサーバ装置や端末装置へ出力する。
【００２７】
送信元撮像手段３２０は、例えば図１に示すようにＣＣＤカメラ３２１などの撮像部を備えている。この送信元撮像手段３２０は、図２に示すように、送信元制御手段３７０に接続されて制御され、所定の場所に設置されて所定の領域を撮像部で撮像して映像データを生成する。
この撮像により生成された映像データは、送信元制御手段３７０へ逐次出力される。
【００２８】
送信元操作手段３３０は、例えば図１に示すようにキーボード３３１やマウスなど、送信元である送信元端末装置３００の管理者による入力操作が可能な図示しない各種操作ボタンや操作つまみなどを有した操作部を備えている。これらの操作ボタンや操作つまみなどの入力操作としては、送信元端末装置３００全体の動作内容の設定や、送信元記憶手段３６０に記憶する情報の設定入力、送信元記憶手段３６０に記憶された情報の更新や再生など、各種設定事項の設定入力である。
そして、送信元操作手段３３０は、図２に示すように、設定事項の入力操作により、設定事項に対応する送信元操作信号を、接続する送信元制御手段３７０へ適宜出力して設定入力させる。
なお、入力操作としては、操作ボタンや操作つまみなどの操作に限らず、例えば送信元表示手段３５０に設けられたタッチパネルによる入力操作や、音声による入力操作、リモートコントローラの入力操作により赤外線などの無線媒体を介して送信元操作信号を受信して送信元制御手段３７０へ出力する構成など、各種設定事項を設定入力可能ないずれの構成が適用できる。
【００２９】
送信元発音手段３４０は、例えば図１に示すようにスピーカ３４１などの発音部を備えている。この送信元発音手段３４０は、図２に示すように、送信元制御手段３７０にて制御され、送信元制御手段３７０からの音声情報や楽曲情報などの各種音声データを発音部から音声出力させる。
なお、送信元発音手段３４０は、例えばＴＶ受信機で受信したＴＶ音声情報や記録媒体さらには送信元記憶手段３６０やメモリなどに記録された音声データなどをも適宜出力可能である。
【００３０】
送信元表示手段３５０は、例えば図１および図２に示すように、送信元制御手段３７０に接続されて制御され、送信元制御手段３７０から出力される画像や映像などの各種画像データを画面表示させる。
この送信元表示手段３５０としては、例えば液晶表示パネルや有機ＥＬ（Electro Luminescence）パネル、ＰＤＰ（Plasma Display Panel）、ＣＲＴ（Cathode-Ray Tube）、ＦＥＤ（Field Emission Display）、電気泳動ディスプレイパネルなどが例示できる。
【００３１】
送信元記憶手段３６０は、図２に示すように、送信元制御手段３７０に接続されて制御され、送信元制御手段３７０が適宜読み出し可能に各種情報を記憶する。
この送信元記憶手段３６０は、例えば、ＨＤ（Hard Disk）などの磁気ディスク、ＤＶＤ（Digital Versatile Disc）などの光ディスク、メモリカードなど、各種記録媒体に読み出し可能に記憶するドライブやドライバなどの構成の他、半導体メモリなど、情報を記憶可能ないずれの構成が適用できる。
また、送信元記憶手段３６０は、送信元端末装置３００全体を動作制御するＯＳ（Operating System）上に展開される各種プログラムなどをも記憶している。さらに、送信元記憶手段３６０は、送信元制御手段３７０が演算の際に処理する信号などを一時的に記憶可能、すなわちメモリとしても機能する。
【００３２】
送信元制御手段３７０は、例えばＣＰＵ（Central Processing Unit）を備え、図示しない各種入出力ポートである、送信元通信手段３１０が接続される通信ポート、送信元撮像手段３２０が接続される撮像制御ポート、送信元操作手段３３０が接続される入力ポート、送信元発音手段３４０が接続される発音制御ポート、送信元表示手段３５０が接続される表示制御ポート、送信元記憶手段３６０が接続される記憶ポートなどを有している。
そして、送信元制御手段３７０は、各種プログラムとして、コンテンツデータ生成手段３７１と、送信元通信制御手段３７２と、送信元発音制御手段３７３と、送信元表示制御手段３７４と、などを備えている。
【００３３】
コンテンツデータ生成手段３７１は、例えばサーバ装置２００からネットワーク１１０を介して取得した所定の入力フォームに基づいて、送信元端末装置３００の管理者が送信元操作手段３３０の操作部で文字データなどを入力操作することでコンテンツデータを生成する。
この生成したコンテンツデータは、送信元記憶手段３６０に適宜出力されて記憶される。
【００３４】
送信元通信制御手段３７２は、送信元通信手段３１０を動作制御して、ネットワーク１１０を介してサーバ装置２００などにアクセスさせる。
このアクセスは、例えば送信元操作手段３３０における入力操作により所定のアドレスが入力されると、入力されたアドレスに送信元通信手段３１０を接続させ、各種情報を送受信させる。このアクセスにより、送信元操作手段３３０における入力操作に応じて、コンテンツデータ生成手段３７１で利用する入力フォームに関する入力フォーム情報を受信させたり、生成したコンテンツデータや送信元撮像手段３２０で生成した映像データを送信させたりする。
【００３５】
送信元発音制御手段３７３は、音声データを送信元発音手段３４０へ出力し、例えば送信元操作手段３３０における入力操作により設定された発音条件に従って、音声データを送信元発音手段３４０で発音させる。発音条件としては、再生の開始や一次停止、音質、音量などが例示できる。
この音声データは、送信元通信手段３１０で受信した音声データや、送信元記憶手段３６０に記憶された音声データなどで、送信元操作手段３３０の入力操作で設定入力されて特定され、送信元発音手段３４０へ適宜出力されて再生される。
【００３６】
送信元表示制御手段３７４は、画像データを送信元表示手段３５０へ出力し、例えば送信元操作手段３３０における入力操作により設定された表示条件に従って、画像データを送信元表示手段３５０で画面表示させる。表示条件としては、コントラストや輝度、再生の開始や一時停止などが例示できる。
この画像データは、送信元通信手段３１０で受信した音声データや、送信元記憶手段３６０に記憶された画像データなどで、送信元操作手段３３０の入力操作で設定入力されて特定され、送信元表示手段３５０へ適宜出力されて再生される。
【００３７】
送信元携帯通信端末装置４００は、ネットワーク１１０を構成する通信回線網の基地局１１１を介して、詳細は後述するサーバ装置２００から送信されるメッセージ情報を取得する。この送信元携帯通信端末装置４００は、例えば携帯電話やＰＨＳ(Personal Handyphone System)、ＰＤＡ（Personal Digital Assistant）、通信機能を有した携帯型パーソナルコンピュータなどが例示できる。なお、図１は、説明の都合上、携帯電話を示す。
そして、送信元携帯通信端末装置４００は、取得したメッセージ情報を、利用者であるウェブページの送信元である管理者へメッセージ情報を出力させて報知する。
【００３８】
受信端末装置５００は、ネットワーク１１０を介して、サーバ装置２００と各種情報を送受信可能に接続される。この受信端末装置５００は、ネットワーク１１０を介して接続するサーバ装置２００へのアクセスにより、詳細は後述するブログのウェブページを受信して、受信者が認識可能に出力させる。なお、図１は説明の都合上１台の受信端末装置５００を示すが、受信端末装置５００は１台に限らず、不特定多数がサーバ装置２００へ接続すなわちアクセス可能である。
この受信端末装置５００は、図３に示すように、受信側通信手段５１０と、受信側操作手段５２０と、受信側音声入力手段５３０、受信側発音手段５４０と、受信側表示手段５５０と、受信側記憶手段５６０と、受信側制御手段５７０と、などを備えている。
【００３９】
受信側通信手段５１０は、送信元端末装置３００の送信元通信手段３１０と同様に、ネットワーク１１０を介して受信端末装置５００とサーバ装置２００とで各種情報を送受信させる。
この受信側通信手段５１０は、ネットワーク１１０を介して入力されるサーバ信号などに対してあらかじめ設定されている入力インターフェース処理を実行し、処理サーバ信号などとして受信側制御手段５７０へ出力する。また、受信側通信手段５１０は、受信側制御手段５７０からサーバ装置２００などに対して送信すべき受信側処理信号が入力されると、入力された受信側処理信号に対してあらかじめ設定されている出力インターフェース処理を実行し、受信側信号としてネットワーク１１０を介してサーバ装置２００あるいはさらに他のサーバ装置や端末装置へ出力する。
【００４０】
受信側操作手段５２０は、送信元端末装置３００の送信元操作手段３３０と同様に、例えば図１に示すようにキーボード５２１やマウスなど、受信元である受信端末装置５００の受信者による入力操作が可能な図示しない各種操作ボタンや操作つまみなどを有した操作部を備えている。これらの操作ボタンや操作つまみなどの入力操作としては、受信端末装置５００全体の動作内容の設定や、受信側記憶手段５６０に記憶する情報の設定入力、受信側記憶手段５６０に記憶された情報の更新や再生など、各種設定事項の設定入力である。
そして、受信側操作手段５２０は、図３に示すように、設定事項の入力操作により、設定事項に対応する送信元操作信号を、接続する受信側制御手段５７０へ適宜出力して設定入力させる。
なお、入力操作としては、操作ボタンや操作つまみなどの操作に限らず、例えば受信側表示手段５５０に設けられたタッチパネルによる入力操作や、音声による入力操作、リモートコントローラの入力操作により赤外線などの無線媒体を介して送信元操作信号を受信して受信側制御手段５７０へ出力する構成など、各種設定事項を設定入力可能ないずれの構成が適用できる。
【００４１】
受信側音声入力手段５３０は、例えば図１に示すようにマイクロフォン５３１の集音部を備えている。この受信側音声入力手段５３０は、図３に示すように、受信側制御手段５７０にて制御され、周囲の音を集音部で集音して音声データを生成する。
この集音により生成した音声データは、受信側制御手段５７０へ逐次出力される。
【００４２】
受信側発音手段５４０は、例えば送信元端末装置３００の送信元発音手段３４０と同様に図示しないスピーカなどの発音部を備えている。この受信側発音手段５４０は、図３に示すように、受信側制御手段５７０にて制御され、受信側制御手段５７０からの音声情報や楽曲情報などの各種音声データを発音部から音声出力させる。
なお、受信側発音手段５４０は、例えばＴＶ受信機で受信したＴＶ音声情報や記録媒体さらには受信側記憶手段５６０やメモリなどに記録された音声データなどをも適宜出力可能である。なお、この受信側発音手段５４０を備えなくてもよい。
【００４３】
受信側表示手段５５０は、例えば図１および図３に示すように、受信側制御手段５７０に接続されて制御され、受信側制御手段５７０から出力される画像や映像などの各種画像データを画面表示させる。
なお、この受信側表示手段５５０は、送信元端末装置３００の送信元表示手段３５０と同様に、画像データを表示可能な各種構成が利用できる。
【００４４】
受信側記憶手段５６０は、図３に示すように、受信側制御手段５７０に接続されて制御され、受信側制御手段５７０が適宜読み出し可能に各種情報を記憶する。
この受信側記憶手段５６０は、例えば送信元端末装置３００の送信元記憶手段３６０と同様に、情報を記憶可能ないずれの構成が適用できる。
また、受信側記憶手段５６０は、受信端末装置５００全体を動作制御するＯＳ上に展開される各種プログラムなどをも記憶している。さらに、受信側記憶手段５６０は、受信側制御手段５７０が演算の際に処理する信号などを一時的に記憶可能、すなわちメモリとしても機能する。
【００４５】
受信側制御手段５７０は、例えば送信元端末装置３００の送信元制御手段３７０と同様にＣＰＵを備え、図示しない各種入出力ポートである、受信側通信手段５１０が接続される通信ポート、受信側操作手段５２０が接続される入力ポート、受信側音声入力手段５３０が接続される音声ポート、受信側発音手段５４０が接続される発音制御ポート、受信側表示手段５５０が接続される表示制御ポート、受信側記憶手段５６０が接続される記憶ポートなどを有している。
そして、受信側制御手段５７０は、受信側通信制御手段５７１と、受信側音声入力制御手段５７２と、受信側発音制御手段５７３と、受信側表示制御手段５７４と、などを備えている。
【００４６】
受信側通信制御手段５７１は、例えば送信元端末装置３００の送信元通信制御手段３７２と同様に、受信側通信手段５１０を動作制御して、ネットワーク１１０を介してサーバ装置２００などにアクセスさせる。
このアクセスは、例えば受信側操作手段５２０における入力操作により所定のアドレスが入力されると、入力されたアドレスに受信側通信手段５１０を接続させ、各種情報を送受信させる。このアクセスにより、受信側操作手段５２０における入力操作に応じて、ウェブページの情報を受信させたり、ウェブページに設けられた入力操作可能なコマンドの実行要求を送信させたり、コマンドの実行による各種情報を受信させたりする。
【００４７】
受信側音声入力制御手段５７２は、例えば受信側操作手段５２０における入力操作に基づいて受信側音声入力手段５３０を動作制御して集音による音声データを生成させて取得する。この音声データを生成させる受信側操作手段５２０における入力操作としては、例えば集音の開始・終了の設定事項などが例示できる。
そして、生成された音声データは、逐次ストリームデータとして受信側記憶手段５６０に記憶される。また、ブログのウェブページに基づくコマンドの実行により音声データを送信する場合、受信側音声入力制御手段５７２は、受信側通信制御手段５７１に所定の制御信号を出力し生成した音声データのストリームデータを、サーバ装置２００を介してアクセスするブログの送信元へ送信する処理をする。
【００４８】
受信側発音制御手段５７３は、例えば送信元端末装置３００の送信元発音制御手段３７３と同様に、音声データを受信側発音手段５４０へ出力し、例えば受信側操作手段５２０における入力操作により設定された発音条件に従って、音声データを受信側発音手段５４０で発音させる。
この音声データとしては、例えばウェブページに記述された音声データ、ウェブページのコマンドの実行により取得した音声データなどの受信側通信手段５１０で受信した音声データの他、受信側記憶手段５６０に記憶された音声データなどで、受信側操作手段５２０の入力操作で設定入力されて特定され、受信側発音手段５４０へ適宜出力されて再生される。
【００４９】
受信側表示制御手段５７４は、例えば送信元端末装置３００の送信元表示制御手段３７４と同様に、画像データを受信側表示手段５５０へ出力し、受信側操作手段５２０における入力操作により設定された表示条件に従って、画像データを受信側表示手段５５０で画面表示させる。
この画像データは、例えばウェブページ自体やウェブページに記述された映像データなど、受信側通信手段５１０で受信した画像データの他、受信側記憶手段５６０に記憶された画像データなどで、受信側操作手段５２０の入力操作で設定入力されて特定され、受信側表示手段５５０へ適宜出力されて再生される。
【００５０】
サーバ装置２００は、ネットワーク１１０を介して、送信元端末装置３００、送信元携帯通信端末装置４００および受信端末装置５００に各種情報を送受信可能に接続される。なお、図１は説明の都合上１台ずつの送信元端末装置３００、送信元携帯通信端末装置４００、受信端末装置５００を示すが、これらは１台ずつに限らず、不特定多数がサーバ装置２００へ接続すなわちアクセス可能である。そして、サーバ装置２００は、ネットワーク１１０を介して接続する送信元端末装置３００や受信端末装置５００のアクセスにより、詳細は後述するブログのウェブページとして、アクセスする受信端末装置５００が閲覧可能にウェブファイルを作成したり、アクセスする受信端末装置５００からのウェブページのコマンドの実行に基づく各種信号や情報を送信元端末装置３００や送信元携帯通信端末装置４００へ送信したりする。
そして、サーバ装置２００は、図４に示すように、サーバ通信手段２１０と、サーバ操作手段２２０と、サーバ表示手段２３０と、サーバ記憶手段２４０と、演算手段としての制御手段であるサーバ制御手段２５０と、などを備えている。
【００５１】
サーバ通信手段２１０は、例えば送信元端末装置３００や受信端末装置５００と同様に、ネットワーク１１０を介して、送信元端末装置３００、送信元携帯通信端末装置４００および受信端末装置５００と各種情報を送受信可能に接続されるとともに、サーバ制御手段２５０に接続されている。
このサーバ通信手段２１０は、ネットワーク１１０を介して入力される送信元信号や受信側信号に対してあらかじめ設定されている入力インターフェース処理を実行し、処理端末信号としてサーバ制御手段２５０へ出力する。また、サーバ通信手段２１０は、サーバ制御手段２５０から送信元端末装置３００や送信元携帯通信端末装置４００あるいは受信端末装置５００に対して送信すべき処理サーバ信号が入力されると、入力された処理サーバ信号に対してあらかじめ設定されている出力インターフェース処理を実行し、サーバ信号としてネットワーク１１０を介して送信元端末装置３００や送信元携帯通信端末装置４００あるいは受信端末装置５００へ出力する。
【００５２】
サーバ操作手段２２０は、例えば送信元端末装置３００や受信端末装置５００と同様に、図１に示すようにキーボード２２１やマウスなど、サーバ装置２００のサーバ管理者による入力操作が可能な図示しない各種操作ボタンや操作つまみなどを有した操作部を備えている。これらの操作ボタンや操作つまみなどの入力操作としては、サーバ装置２００全体の動作内容の設定や、サーバ記憶手段２４０に記憶する各種情報やプログラムの設定入力や更新など、各種設定事項の設定入力である。
そして、サーバ操作手段２２０は、図４に示すように、設定事項の入力操作により、設定事項に対応するサーバ操作信号を、接続するサーバ制御手段２５０へ適宜出力して設定入力させる。
なお、入力操作としては、上述した用に、各種設定事項を設定入力可能ないずれの構成が適用できる。
【００５３】
サーバ表示手段２３０は、例えば図１および図４に示すように、サーバ制御手段２５０に接続されて制御され、サーバ制御手段２５０から出力される画像や映像などの各種画像データを画面表示させる。
そして、このサーバ表示手段２３０は、送信元端末装置３００や受信端末装置５００と同様に、画像データを表示可能な各種構成が利用できる。
【００５４】
サーバ記憶手段２４０は、図４に示すように、サーバ制御手段２５０に接続されて制御され、サーバ制御手段２５０が適宜読み出し可能に各種情報を記憶する。このサーバ記憶手段２４０は、例えば送信元端末装置３００や受信端末装置５００と同様に、情報を記憶可能ないずれの構成が適用できる。
そして、サーバ記憶手段２４０は、送信元情報記憶手段としての送信元情報記憶領域２４１と、保安条件情報記憶領域２４２と、フォーム記憶手段としてのフォーム記憶領域２４３と、ウェブページ情報記憶手段としてのウェブページ記憶領域２４４と、映像データ記憶領域２４５と、などを備えている。なお、ウェブページ記憶領域２４４と映像データ記憶領域２４５とにより本発明のウェブページ情報記憶手段を構成し、送信元情報記憶領域２４１と保安条件情報記憶領域２４２とにより本発明の送信元情報記憶手段を構成する。
【００５５】
送信元情報記憶領域２４１は、図５に示すように、送信元に関する各種情報を送信元毎の１つのデータ構造の送信元情報２４１Ａとして、送信元毎に複数記憶するテーブル構造に構成されている。
具体的には、送信元情報記憶領域２４１は、識別情報２４１Ａ１と、名称情報２４１Ａ２、住所情報２４１Ａ３、電話番号情報２４１Ａ４、連絡先情報２４１Ａ５と、アドレス情報２４１Ａ６と、などの送信元に関する各種情報を関連付けて１つのデータ構造の送信元情報２４１Ａとして複数記憶するテーブル構造である。
【００５６】
識別情報２４１Ａ１は、送信元毎の固有の情報で、例えばテキストデータの文字列データである。識別情報２４１Ａ１としては、例えば保安システム１００を利用するための登録番号や会員番号などのＩＤ（identification）番号が例示できる。
なお、ＩＤ番号に限らず、連絡先携帯番号、送信元の電子メールアドレスやウェブページのアドレスであるＵＲＬ（Uniform Resource Locator）など、送信元を特定する各種情報が利用できる。
【００５７】
名称情報２４１Ａ２は、送信元の名称に関する情報、例えば送信元の氏名や団体名、団体や企業などの代表者の氏名などに関する情報で、テキストデータの文字列データである。
住所情報２４１Ａ３は、送信元の住所や居所に関する情報で、例えばテキストデータの文字列データである。
電話番号情報２４１Ａ４は、送信元へ電話連絡するための電話番号に関する情報で、例えばテキストデータの文字列データである。
連絡先情報２４１Ａ５は、送信元毎の連絡先に関する情報、送信元が所有する携帯電話へ電話連絡するための携帯電話番号や携帯電話の電子メールアドレスなどの情報で、例えばテキストデータの文字列データである。
アドレス情報２４１Ａ６は、送信元毎のウェブページのアドレスに関する情報で、例えばテキストデータの文字列データである。
【００５８】
なお、住所情報２４１Ａ３、電話番号情報２４１Ａ４および連絡先情報２４１Ａ５は、例えば送信元情報２４１Ａの識別情報２４１Ａ１に対応する送信元の送信元端末装置３００から送信される変更要求信号に基づいて、修正可能となっている。
【００５９】
保安条件情報記憶領域２４２は、図６に示すように、保安のために送信元へメッセージに関するメッセージ情報を送信するための条件に関する各種情報が識別情報２４１Ａ１に関連付けられて１つのデータ構造の送信元情報を構成する保安条件情報２４２Ａとして、送信元毎となる識別情報２４１Ａ１毎に複数記憶するテーブル構造に構成されている。
具体的には、保安条件情報記憶領域２４２は、識別情報２４１Ａ１と、アドレス情報２４１Ａ６と、受信元情報としての受信権限情報である他の送信元の識別情報である友人ＩＤ情報２４２Ａ１と、時間情報としての設定時間情報２４２Ａ２と、検知時間情報２４２Ａ３と、回数情報としての設定回数情報２４２Ａ４と、アラート回数情報２４２Ａ５と、などが１つのデータ構造の保安条件情報２４２Ａとして複数記憶するテーブル構造である。
【００６０】
友人ＩＤ情報２４２Ａ１は、本保安システム１００を利用するために登録した他の送信元のＩＤ番号である。
この友人ＩＤ情報２４２Ａ１は、例えば保安条件情報２４２Ａの識別情報２４１Ａ１に対応する送信元の送信元端末装置３００から送信される変更要求信号に基づいて、友人ＩＤ情報２４２Ａ１の追加、削除、修正などが可能となっている。
【００６１】
設定時間情報２４２Ａ２は、所定の時間長に関する情報で、ウェブページを閲覧している受信者がそのウェブページに基づいて異常状況が発生していることを知らしめるための受信端末装置５００における最初の入力操作が実施されてから所定の時間が経過するまでの時間長の情報である。
この設定時間情報２４２Ａ２は、友人ＩＤ情報２４２Ａ１と同様に、送信元からの変更要求信号に基づいて、時間長を長くしたり短くしたりするなどの変更が可能となっている。
【００６２】
検知時間情報２４２Ａ３は、詳細は後述するが、異常状況の発生に基づく最初の入力操作が実施されたことによりサーバ制御手段２５０がその旨を認識した時刻に関する情報である。
この検知時間情報２４２Ａ３は、サーバ制御手段２５０が生成するアラート検知開始時間に関する情報が検知時間情報２４２Ａ３として逐次更新可能となっている。
【００６３】
設定回数情報２４２Ａ４は、異常状況の発生に基づく入力操作の閾値回数に関する情報である。
この設定回数情報２４２Ａ４は、友人ＩＤ情報２４２Ａ１および設定時間情報２４２Ａ２と同様に、送信元からの変更要求信号に基づいて、閾値回数を増減する変更が可能となっている。
【００６４】
アラート回数情報２４２Ａ５は、詳細は後述するが、異常状況の発生に基づく入力操作が実施された回数に関する情報である。すなわち、アラート回数情報２４２Ａ５は、異常状況の発生に基づく最初の入力操作が実施されたことによりサーバ制御手段２５０がその旨を認識した時刻から設定時間情報２４２Ａ２の時間長が経過するまでに入力操作された回数に関する情報である。
このアラート回数情報２４２Ａ５は、サーバ制御手段２５０が計数して生成するアラート回数に関する情報がアラート回数情報２４２Ａ５として逐次更新可能となっている。
なお、このアラート回数情報２４２Ａ５は、例えばサーバ制御手段２５０により、現在時刻が検知時間情報２４２Ａ３の時間から設定時間情報２４２Ａ２の時間長を経過すると、リセットすなわち「０」回のアラート回数情報２４２Ａ５で上書き更新される場合を例示する。
【００６５】
フォーム記憶領域２４３は、送信元端末装置３００から送信されるコンテンツデータを、例えば図７に示すようなウェブブラウザによる画面表示でブログのウェブページ６００として受信端末装置５００で画面表示させるための所定のフォームに関するフォーム情報を記憶する。
【００６６】
ここで、ウェブページ６００は、コンテンツ記述領域６１０と、表示領域６２０と、入力部としての報知入力コマンド部６３０と、音声入力コマンド部６４０と、コメント表示領域６５０と、などを有している。すなわち、フォーム情報は、例えばＨＴＭＬ（HyperText Markup Language）やＸＭＬ（eXtensible Markup Language）などの書式（言語）が利用され、ウェブページ６００を図７に示すように画面表示させる処理内容が記述されている。
なお、フォーム情報としては、ＨＴＭＬやＸＭＬに限られるものではなく、各種書式が利用できる。
【００６７】
コンテンツ記述領域６１０は、送信元がブログとして記述する文章データや音声データ、画像データなどのコンテンツデータが記述される領域である。
このコンテンツ記述領域６１０は、記述されたコンテンツデータをスクロールさせるスクロールバー６１１を有している。
【００６８】
表示領域６２０は、コンテンツ記述領域６１０に隣接、例えば図７における右側に位置して設けられ、ウェブページ６００を受信する受信端末装置５００の受信側表示手段５５０で送信元端末装置からストリームデータで逐次送信される映像データを画面表示させる領域である。
この表示領域６２０は、例えば、映像データを再生しない際、サーバ記憶手段２４０に別途記憶された所定の画像をスクリーン表示させたり、表示領域６２０にウェブページ６００の背景柄と同様の画像を表示させて実質的に表示領域６２０が表示されていないようにしたりするとよい。
【００６９】
報知入力コマンド部６３０は、表示領域６２０に隣接、例えば図７における下側に位置して設けられ、受信側操作手段５２０での入力操作を促す旨で受信側表示手段５５０に表示される入力操作可能なコマンドボタンである。すなわち、フォーム情報には、報知入力コマンド部６３０が受信端末装置５００で入力操作されることにより、入力操作された旨の所定の操作信号を出力させる処理内容が記述されている。
この報知入力コマンド部６３０は、例えば、表示領域６２０に映像データが再生されない際、入力操作不可能としたり表示させないようにしたりするなどするとよい。
【００７０】
音声入力コマンド部６４０は、報知入力コマンド部６３０に隣接、例えば図７における下側に位置して設けられ、音声入力を促す旨で受信側表示手段５５０に表示される入力操作可能なコマンドボタンである。すなわち、フォーム情報には、音声入力コマンド部６４０が受信端末装置５００で入力操作されることにより、入力操作した受信端末装置５００にて音声データを生成させる処理を実行させる処理内容が記述されている。
この音声入力コマンド部６４０は、例えば、表示領域６２０に映像データが再生されない際、入力操作不可能としたり表示させないようにしたりするなどするとよい。
【００７１】
コメント表示領域６５０は、表示領域６２０に隣接、例えば図７における上側に位置して設けられ、外出している旨、また、不審者を見掛けたら報知入力コマンド部６３０の入力操作を促す旨のテキスト文章のコメントなどが表示される領域である。
このコメント表示領域６５０は、表示領域６２０に映像データが再生される際に表示され、再生されない場合には表示されないようにするとよい。
この表示されるコメントとしては、あらかじめサーバ記憶手段２４０に記憶されたテキスト文章を表示させる構成の他、後述する編集フォームで、送信元が複数のテキスト文章から選択できる構成や、送信元の送信元操作手段３３０でテキスト入力できる構成とすることができる。
【００７２】
また、フォーム情報は、画面表示させる上述のフォームの他、送信元でウェブページ６００の記述内容を掲載・変更・修正などを実施するための編集フォームに関する編集フォーム情報を有している。
この編集フォームは、コンテンツ記述領域６１０に記述させる例えばテキスト文章など文字列データを送信元端末装置３００の送信元操作手段３３０で入力させたり、送信元記憶手段３６０から画像データなどを読み出したりすることで、コンテンツ記述領域６１０に記述されるコンテンツデータを生成させる。
【００７３】
さらに、フォーム情報は、送信元情報２４１Ａおよび保安条件情報２４２Ａを追加、修正、削除などの変更を実施するための変更フォームに関する変更フォーム情報を有している。
この変更フォームは、送信元情報２４１Ａにおける住所情報２４１Ａ３、電話番号情報２４１Ａ４および連絡先情報２４１Ａ５と、保安条件情報２４２Ａにおける友人ＩＤ情報２４２Ａ１、設定時間情報２４２Ａ２および設定回数情報２４２Ａ４となどを変更するための、例えばテキストボックスなどの設定事項を送信元操作手段３３０でテキスト入力可能な入力領域を有している。これら入力領域に設定入力された設定事項の変更内容情報が生成され、これら変更内容情報を取得したサーバ制御手段２５０により変更内容情報に対応する項目の情報が変更される。
【００７４】
ウェブページ記憶領域２４４は、送信元毎にウェブページ６００を複数記憶するテーブル構造に構築されている。
具体的には、ウェブページ記憶領域２４４は、フォーム記憶領域２４３のフォーム情報の編集フォームに基づいて送信元から送信されたコンテンツデータが、識別情報２４１Ａ１に１つのデータ構造に関連付けられて複数記憶するテーブル構造に構築されている。
【００７５】
映像データ記憶領域２４５は、送信元毎にウェブページ６００の表示領域６２０に表示される映像データを複数記憶するテーブル構造に構築されている。
具体的には、映像データ記憶領域２４５は、送信元から送信されたストリームデータの映像データと、その映像データが送信された日時に関する日時情報とが、識別情報２４１Ａ１に１つのデータ構造に関連付けられて複数記憶するテーブル構造に構築されている。
なお、映像データおよび日時情報は、複数対で識別情報２４１Ａ１に関連付ける構成としてもよい。
【００７６】
さらに、サーバ記憶手段２４０は、サーバ装置２００全体を動作制御するＯＳ上に展開される各種プログラムなどをも記憶している。
また、サーバ記憶手段２４０は、送信元へ送信するメッセージに関するメッセージ情報をも記憶している。ここで、メッセージ情報としては、例えば「只今、ご自宅に異常事態が生じた模様です」などの異常状況の発生を報知する音声データや電子メールによる文字列データなどが例示できる。
さらに、サーバ記憶手段２４０は、サーバ制御手段２５０が演算の際に処理する信号などを一次的に記憶可能、すなわちメモリとしても機能する。
【００７７】
サーバ制御手段２５０は、図４に示すように、例えば送信元端末装置３００や受信端末装置５００と同様にＣＰＵを備え、図示しない各種入出力ポートを有している。
そして、サーバ制御手段２５０は、コンテンツデータ取得手段２５１と、映像データ取得手段２５２と、記憶制御手段２５３と、ウェブページ配信手段２５４と、入力操作計数手段２５５と、メッセージ送信手段２５６と、音声送信手段２５７と、計時手段２５８と、などを備えている。
【００７８】
コンテンツデータ取得手段２５１は、送信元端末装置３００から送信されるコンテンツデータを取得してウェブページ記憶領域２４４に適宜出力して記憶させる。
具体的には、コンテンツデータ取得手段２５１は、送信元端末装置３００からネットワーク１１０を介して送信される編集要求信号を認識すると、フォーム記憶領域２４３から編集フォームを読み出し、送信元端末装置３００へ編集フォームが送信元操作手段３３０で入力操作可能にウェブブラウザによる画面表示で送信元表示手段３５０に表示される状態に編集フォームの情報を送信する。そして、コンテンツデータ取得手段２５１は、編集フォームに設けられ編集フォームに基づいて入力操作した設定事項を実施するコマンドの入力操作により送信されるコンテンツデータを、ネットワーク１１０を介してサーバ通信手段２１０で受信して取得するとともに、コンテンツデータを取得した旨の制御信号を記憶制御手段２５３へ出力する。
【００７９】
映像データ取得手段２５２は、送信元端末装置３００から送信されるコンテンツデータを取得してウェブページ記憶領域２４４に適宜出力して記憶させるとともに、ウェブページ６００を閲覧している受信端末装置５００に閲覧可能に送信する。
具体的には、映像データ取得手段２５２は、送信元端末装置３００からネットワーク１１０を介して送信されるストリームデータの映像データを取得するとともに、映像データを取得した旨の制御信号を記憶制御手段２５３およびウェブページ配信手段２５４へ出力する。
【００８０】
記憶制御手段２５３は、サーバ記憶手段２４０における各種情報の記憶や修正、削除などを動作制御する。
具体的には、記憶制御手段２５３は、コンテンツデータ取得手段２５１で取得したコンテンツデータおよび映像データ取得手段２５２で取得した映像データをサーバ記憶手段２４０に記憶させる。すなわち、コンテンツデータ取得手段２５１からの制御信号を認識すると、編集フォームに基づいて生成したコンテンツデータを送信するアクセス時にあらかじめ認識した識別情報２４１Ａ１と関連付けて、コンテンツデータ取得手段２５１で取得したコンテンツデータをウェブページ記憶領域２４４に記憶する。また、記憶制御手段２５３は、映像データ取得手段２５２からの制御信号を認識すると、映像データの送信の際のアクセス時にあらかじめ認識した識別情報２４１Ａ１と関連付けて、映像データ取得手段２５２で順次取得している映像データを映像データ記憶領域２４５に記憶する。
また、記憶制御手段２５３は、送信元からの変更要求によりサーバ記憶手段２４０の送信元情報２４１Ａおよび保安条件情報２４２Ａの追加や修正、削除などの変更を実施する。すなわち、記憶制御手段２５３は、送信元からの変更要求情報を認識すると、サーバ記憶手段２４０のフォーム情報における変更のための変更フォームを送信元に配信し、この変更フォームに従って送信元操作手段３３０で入力操作されて設定された設定事項の変更内容情報を取得し、対応する設定事項の項目を変更する。例えば、変更フォームにおける設定時間情報２４２Ａ２の変更する新たな設定時間が入力されることで生成された設定時間情報２４２Ａ２の変更内容情報をネットワーク１１０を介して記憶制御手段２５３が取得すると、対応する識別情報２４１Ａ１の保安条件情報２４２Ａにおける従前の設定時間情報２４２Ａ２を取得した変更内容情報で変更、すなわち上書きする。
【００８１】
ウェブページ配信手段２５４は、受信端末装置５００からの所定のウェブページ６００の配信要求に基づいて、サーバ通信手段２１０を制御して対応するウェブページ６００を閲覧可能に配信する。すなわち、ウェブページ配信手段２５４は、フォーム情報に基づいて、コンテンツデータや映像データなどを、図７に示すウェブページ６００の所定のフォームとして配信する。
具体的には、ウェブページ配信手段２５４は、ネットワーク１１０を介してアクセスする受信端末装置５００から送信される所定のアドレス情報を有するウェブページ６００の配信要求を認識すると、送信元情報記憶領域２４１から同一のアドレス情報２４１Ａ６を有した送信元情報２４１Ａを検索する。そして、ウェブページ配信手段２５４は、検索した送信元情報２４１Ａの識別番号２４１Ａ１と同一の識別番号２４１Ａ１に関連付けられたコンテンツデータを読み出す。さらに、ウェブページ配信手段２５４は、フォーム記憶領域２４３に記憶されたフォーム情報に読み出したコンテンツデータが記述された状態のウェブファイル、すなわち、図７に示すウェブページとして受信端末装置５００の受信側表示手段５５０で表示される状態に、ウェブファイルを配信する。
さらに、ウェブページ配信手段２５４は、送信元からの映像データを、受信端末装置５００で受信しているウェブページ６００の表示領域６２０で放映させる要求の放映要求信号が送信されたことを認識すると、送信され映像データ取得手段２５２で取得している映像データが受信端末装置５００のウェブページ６００の表示領域６２０で逐次画面表示される状態に、フォーム情報に基づいて映像データを配信する処理をする。
なお、ウェブページ配信手段２５４は、例えばあらかじめ設定されたアクセス用のフォームにおいて、あらかじめ本保安システム１００を利用する受信権限のある利用者や受信端末装置５００である旨の受信者の識別番号２４１Ａ１やパスワードなどの設定入力により配信要求を送信できるなどの構成を利用できる。
【００８２】
入力操作計数手段２５５は、ウェブページ６００の報知入力コマンド部６３０がウェブページ６００を受信する受信端末装置５００の受信側操作手段５２０で入力操作された回数を計数する。
具体的には、入力操作計数手段２５５は、ウェブページ６００の報知入力コマンド部６３０が受信側操作手段５２０で入力操作されると、報知入力コマンド部６３０が入力操作された旨の操作信号を認識し、従前に操作信号を認識したか否かを判断する。そして、入力操作計数手段２５５は、従前に操作信号を認識していないと判断すると、計時手段２５８にて計時する現在時刻を時刻情報として生成させ、保安条件情報２４２Ａの検知時間情報２４２Ａ３に上書き更新させる旨の制御信号を記憶制御手段２５３へ出力する。さらに、入力操作計数手段２５５は、保安条件情報２４２Ａのアラート回数情報２４２Ａ５の回数を１回である旨の「１」に設定、すなわち従前の「０」回のアラート回数情報２４２Ａ５に、「１」回のアラート回数情報２４２Ａ５を上書き更新させる旨の制御信号を記憶制御手段２５３へ出力する。
一方、入力操作計数手段２５５は、従前に操作信号を認識している、例えば計時手段２５８で計時している現在時刻が、検知時間情報２４２Ａ３のアラート検知開始時間から設定時間情報２４２Ａ２の時間長が経過していないことを認識すると、保安条件情報２４２Ａのアラート回数情報２４２Ａ５の回数を１回増やす設定、すなわち従前の「Ｎ」回に「Ｎ＋１」の演算により生成した回数のアラート回数情報２４２Ａ５を上書き更新させる旨の制御信号を記憶制御手段２５３へ出力する。
【００８３】
メッセージ送信手段２５６は、ウェブページ６００の報知入力コマンド部６３０がウェブページ６００を受信する受信端末装置５００の受信側操作手段５２０で入力操作されることにより、ウェブページ６００の送信元へ所定のメッセージに関するメッセージ情報を送信する処理をする。
具体的には、メッセージ送信手段２５６は、ウェブページ６００の報知入力コマンド部６３０が受信側操作手段５２０で入力操作されると、報知入力コマンド部６３０が入力操作された旨の操作信号を認識する。そして、メッセージ送信手段２５６は、受信端末装置５００によるウェブページ６００の受信時のアクセス時に識別番号２４１Ａ１の設定入力を認識し、配信しているウェブページ６００の送信元の識別番号２４１Ａ１の保安条件情報２４２Ａのうち、認識した受信者の識別番号２４１Ａ１と同一の友人ＩＤ情報２４２Ａ１を有するか否かを判断する。
そして、メッセージ送信手段２５６は、保安条件情報２４２Ａに同一の識別番号２４１Ａ１を検出すると、送信元情報２４１Ａの連絡先情報２４１Ａ５を読み出し、連絡先情報２４１Ａ５の連絡先へネットワーク１１０を構成する基地局１１１を介して、サーバ記憶手段２４０に記憶されたメッセージ情報を送信する。例えば、上述したように、連絡先の送信元携帯通信端末装置４００へ電話を掛けて音声メッセージを再生させたり、メッセージ文章を電子メールにて送信したりする。一方、メッセージ送信手段２５６は、保安条件情報２４２Ａに同一の識別番号２４１Ａ１を検出できないと判断すると、入力操作計数手段２５５により計数、すなわち「Ｎ」回に「Ｎ＋１」の演算により生成した「Ｎ＋１」回の回数に関する情報を生成させ、アラート回数情報２４２Ａ５を上書き更新させる処理を実施させる。そして、メッセージ送信手段２５６は、アラート回数が設定回数情報２４２Ａ４の閾値回数以上になったことを認識すると、所定時間である設定時間情報２４２Ａ２の時間長で多数の入力操作がなされたと判断してメッセージ情報を送信する。
【００８４】
音声送信手段２５７は、ウェブページ６００の音声入力コマンド部６４０がウェブページ６００を受信する受信端末装置５００の受信側操作手段５２０で入力操作されて生成された音声データを、受信端末装置５００で受信するウェブページ６００の送信元の送信元端末装置３００へ、送信元発音手段３４０で再生可能に送信する。
具体的には、音声送信手段２５７は、ウェブページ６００の音声入力コマンド部６４０が受信側操作手段５２０で入力操作されると、音声入力コマンド部６４０が入力操作された旨の操作信号を認識する。そして、音声送信手段２５７は、受信端末装置５００から送信されるストリームデータの音声データを、逐次ウェブページ６００の送信元のアドレス情報２４１Ａ６のアドレスへ順次転送させる。この転送により、図１に示すように、受信端末装置５００で受信者による発音が送信元端末装置３００の送信元発音手段３４０のスピーカ３４１から再生される。
【００８５】
計時手段２５８は、例えば内部クロックなどの基準パルスに基づいて現在時刻を認識する。
そして、この計時手段２５８は、認識した現在時刻に関する時刻情報を適宜出力する。
【００８６】
〔保安システムの動作〕
次に、上記保安システム１００の動作として、受信端末装置５００で所定のウェブページ６００を閲覧する際のウェブページ送信工程であるウェブページ送信処理、およびウェブページ６００を閲覧する受信者が異常状況を認識することでその旨を報知する報知工程である報知処理について、図面を参照して説明する。
図８は、ウェブページ送信処理動作を示す動作フローチャートである。図９は、報知処理動作におけるメッセージ送信の処理に関する動作を示すフローチャートである。図１０は、報知処理動作における音声転送に関する動作を示すフローチャートである。
【００８７】
（ウェブページ送信処理動作）
まず、受信者は、所定のブログのウェブページ６００の閲覧のために、受信端末装置５００の受信側操作手段５２０の入力操作にて、ウェブブラウザを起動させて所定のウェブページ６００のアドレスを入力する。
この入力により、受信端末装置５００の受信側制御手段５７０は、受信側通信制御手段５７１により受信側通信手段５１０をサーバ装置２００へ接続させウェブファイルの配信要求に関する配信要求信号を出力する（ステップＳ１０１）。
【００８８】
そして、サーバ装置２００のサーバ制御手段２５０は、接続要求信号を認識すると、本保安システム１００の利用が可能な会員登録された受信者か否かを確認する処理を実施する。例えば、サーバ装置２００は、フォーム情報の接続フォームを送信する。この接続フォームを受信した受信端末装置５００は、受信側表示手段５５０で接続フォームを表示させる。
そして、例えば接続フォームのテキストボックスなど、識別情報２４１Ａ１のＩＤ番号入力やパスワード入力などを促す入力領域に受信者が設定事項を適宜入力することで、サーバ装置２００は受信端末装置５００からネットワーク１１０を介して取得する入力された情報に基づいて、サーバ記憶手段２４０に記憶された会員登録に関する情報、例えば送信元情報２４１Ａに同一の送信元情報２４１Ａがあるか否かを判断する認証を実施する。
なお、アクセス要求時に認証を実施しなくてもよい。
【００８９】
さらに、サーバ制御手段２５０は、ウェブページ配信手段２５４により、接続要求信号に基づいて取得したアドレス情報２４１Ａ６と同一のアドレス情報２４１Ａ６を有した送信元情報２４１Ａを送信元情報記憶領域２４１から検索する。そして、サーバ制御手段２５０は、ウェブページ配信手段２５４により、検索した送信元情報２４１Ａの識別番号２４１Ａ１と同一の識別番号２４１Ａ１に関連付けられたコンテンツデータを読み出す（ステップＳ１０２）。
そして、ウェブページ配信手段２５４は、フォーム記憶領域２４３に記憶されたフォーム情報に、読み出したコンテンツデータが記述された状態のウェブファイル、すなわち図７に示すウェブページ６００として受信端末装置５００の受信側表示手段５５０で表示される状態に、ウェブファイルを配信する（ステップＳ１０３）。
【００９０】
このステップＳ１０３において、サーバ装置２００から配信されたウェブファイルを受信した受信端末装置５００は、受信側制御手段５７０の受信側例えばウェブブラウザにより図７に示すような画面表示でウェブページ６００を画面表示させる処理をする（ステップＳ１０４）。
なお、このステップＳ１０４におけるウェブページ６００の画面表示では、例えば表示領域６２０に放映していない旨の所定の画像をスクリーン表示させたり、表示領域６２０にウェブページ６００の背景柄と同様の表示をさせて見掛け上で表示領域６２０が表示されていないようにしたりするなどしてもよい。
また、この際に、報知入力コマンド部６３０や音声入力コマンド部６４０を、入力操作不可能としたり表示させないようにしたりするなどするとよい。
さらに、映像データが再生されない状態では、外出している旨、さらには不審者を見掛けたら報知入力コマンド部６３０の入力操作を促す旨のテキスト文章のコメントの記述がコメント表示領域６５０に表示されないようにするとよい。
【００９１】
このステップＳ１０４におけるウェブページ６００の画面表示により、受信者はコンテンツ記述領域６１０に記述されているコンテンツデータを閲覧する。
なお、閲覧している受信者が、コンテンツデータの記述に対してコメントを作成してもよい。この受信者からのコンテンツデータに対するコメントの作成としては、例えば、ウェブページ６００のコンテンツ記述領域６１０の下部に設けられたコメント作成用のフォームに基づいてテキスト入力によりコメント情報を生成させたり、コメント作成のためのコメントフォームを呼び出す入力操作可能なコマンドボタンを設け、呼び出されたコメントフォームに基づいてテキスト入力によりコメント情報を生成させたりして、コメント情報をコンテンツデータに関連付けてウェブページ６００で表示可能にサーバ装置２００に記憶させるなどしてもよい。
【００９２】
また、送信元が外出するなどにより、送信元のウェブページ６００に送信元撮像手段３２０で撮像した映像を放映させる場合、送信元端末装置３００の送信元操作手段３３０の入力操作にて、ウェブブラウザを起動させてサーバ装置２００にアクセスする。
なお、このアクセスの際、例えば接続フォームなどに基づいて送信元が登録者か否かなどの認証を実施する。
そして、送信元による送信元操作手段３３０における映像の放映を要求する旨の設定入力、例えばサーバ装置２００から送信される編集フォームなどに基づいて放映を要求する設定入力により、放映要求信号がネットワーク１１０を介して送信される（ステップＳ１０５）。
【００９３】
このステップＳ１０５で送信元端末装置３００から送信された放映要求信号をサーバ装置２００が受信すると、例えば、サーバ制御手段２５０のウェブページ配信手段２５４は、映像データ取得手段２５２により、送信元端末装置３００で撮像による映像データを生成させて送信させるための編集フォームを送信元端末装置３００へ送信する。
この編集フォームに基づいて、送信元端末装置３００において、撮像部で撮像し送信元撮像手段３２０でストリームデータの映像データを生成させ、ネットワーク１１０を介して送信させる（ステップＳ１０６）。
そして、送信された映像データを受信したサーバ装置２００の映像データ取得手段２５２は、記憶制御手段２５３により例えばアクセス時の認証の際に認識した送信元の識別情報２４１Ａ１と関連付けて、順次取得している映像データを映像データ記憶領域２４５に記憶させる。
さらに、映像データ取得手段２５２は、ウェブページ配信手段２５４により、順次取得している映像データを、受信端末装置５００のウェブページ６００の表示領域６２０で逐次画面表示される状態に、フォーム情報に基づいて配信させる（ステップＳ１０７）。
【００９４】
このステップＳ１０７で配信される映像データを受信した受信端末装置５００は、フォーム情報に基づいて受信側表示制御手段５７４により、ストリームデータの映像データを、表示領域６２０で順次再生させる。
さらに、表示領域６２０に映像が表示される状態では、表示領域６２０に隣接、例えば図７における表示領域６２０の上部に、外出している旨、さらには不審者を見掛けたら報知入力コマンド部６３０の入力操作を促す旨の記述が視認可能に表示される。
【００９５】
なお、送信元が帰宅するなどにより、ウェブページ６００での映像の放映を中止する場合、例えば編集フォームに基づいて映像データを生成して送信している編集フォームにおける中止する旨のコマンドボタンの入力操作などにより撮像の停止や映像データの生成・送信を中止させればよい。
この映像データの配信中止、すなわち映像データが再生されない状態では、上述したように、例えば、表示領域６２０に放映していない旨の所定の画像をスクリーン表示させたり、見掛け上で表示領域６２０が表示されていないようにしたりするなどしてもよい。さらには、報知入力コマンド部６３０や音声入力コマンド部６４０を、入力操作不可能としたり表示させないようにしたりするなどするとよい。また、映像データが再生されない状態では、外出している旨、さらには不審者を見掛けたら報知入力コマンド部６３０の入力操作を促す旨のテキスト文章のコメントの記述がコメント表示領域６５０に表示されないようにするとよい。
【００９６】
（報知処理動作）
上述したウェブページ送信処理動作におけるステップＳ１０８で、図７に示すようにウェブブラウザによる画面表示で送信元端末装置３００からの映像データが再生されているウェブページ６００を、受信者がコンテンツ記述領域６１０のコンテンツデータやコンテンツデータに関連付けられたコメントを閲覧、さらにはコンテンツデータの記述に対してコメントを作成する。
このウェブページ６００を閲覧などしている受信者が、外出している旨のコメント表示領域６５０に表示されているにも係わらず人影が表示領域６２０に映し出されたことを認識することで、報知入力コマンド部６３０を受信側操作手段５２０で入力操作すると（ステップＳ２０１）、サーバ装置２００のサーバ制御手段２５０がメッセージ送信手段２５６により、フォーム情報に基づく報知入力コマンド部６３０が入力操作された旨の操作信号を認識する。
【００９７】
そして、メッセージ送信手段２５６は、受信端末装置５００によるウェブページ６００の受信時のアクセス時に識別番号２４１Ａ１の設定入力を認識し、配信しているウェブページ６００の送信元の識別番号２４１Ａ１の保安条件情報２４２Ａのうち、認識した受信者の識別番号２４１Ａ１と同一の友人ＩＤ情報２４２Ａ１を有するか否かを判断する（ステップＳ２０２）。
このステップＳ２０２で、メッセージ送信手段２５６は、保安条件情報２４２Ａに同一の識別番号２４１Ａ１を検出すると、送信元情報２４１Ａの連絡先情報２４１Ａ５を読み出し（ステップＳ２０３）、連絡先情報２４１Ａ５の連絡先へネットワーク１１０を構成する基地局１１１を介して、サーバ記憶手段２４０に記憶されたメッセージ情報を、サーバ通信手段２１０により送信元の送信元携帯通信端末装置４００へ送信する（ステップＳ２０４）。例えば、上述したように、連絡先の送信元携帯通信端末装置４００へ電話を掛けて音声メッセージを再生させたり、メッセージ文章を電子メールにて送信したりして、送信元に異常状況が発生している旨を報知する。
【００９８】
一方、ステップＳ２０２で、メッセージ送信手段２５６は、保安条件情報２４２Ａに同一の識別番号２４１Ａ１を検出できないと判断すると、入力操作計数手段２５５により、従前に操作信号を認識している、例えば計時手段２５８で計時している現在時刻が、検知時間情報２４２Ａ３のアラート検知開始時間から設定時間情報２４２Ａ２の時間長が経過していない旨となる時刻情報が検知時間情報２４２Ａ３として設定されているか否かを判断させる（ステップＳ２０５）。
このステップＳ２０５において、検知時間情報２４２Ａ３が設定されていないと判断、すなわち所定時間内に操作信号を認識していないと判断し、計時手段２５８にて計時する現在時刻を時刻情報として生成させ、保安条件情報２４２Ａの検知時間情報２４２Ａ３に上書き更新させる旨の制御信号を記憶制御手段２５３へ出力し、検知時間情報２４２Ａ３に現在時刻を設定させる（ステップＳ２０６）。この後、入力操作計数手段２５５により計数、すなわち「Ｎ」回に「Ｎ＋１」の演算により生成した「Ｎ＋１」回の回数に関する情報を生成させ、アラート回数情報２４２Ａ５を記憶制御手段２５３で上書き更新させる処理を実施させる（ステップＳ２０７）。
一方、ステップＳ２０５において、検知時間情報２４２Ａ３が設定されていると判断すると、ステップＳ２０７に進んで、アラート回数を１回増やす処理をする。
【００９９】
このステップＳ２０７の後、メッセージ送信手段２５６は、アラート回数情報２４２Ａ５のアラート回数、すなわち報知入力コマンド部６３０の入力操作の回数が設定回数情報２４２Ａ４の閾値回数以上になったか否かを判断する（ステップＳ２０８）。
このステップＳ２０８で、メッセージ送信手段２５６は、アラート回数が設定回数情報２４２Ａ４の閾値回数以上になったことを認識すると、所定時間である設定時間情報２４２Ａ２の時間長で多数の入力操作がなされたと判断し、ステップＳ２０３に進んでメッセージ情報を、サーバ通信手段２１０により送信元の送信元携帯通信端末装置４００へ送信させる処理をする。
一方、ステップＳ２０８で、アラート回数が閾値回数以上になっていないことを認識すると、新たに報知入力コマンド部６３０が入力操作されたか否かを判断する（ステップＳ２０９）。
【０１００】
このステップＳ２０９において、新たに報知入力コマンド部６３０が入力操作されたことを認識、すなわち報知入力コマンド部６３０の入力操作に対応した操作信号をサーバ制御手段２５０が認識すると、ステップＳ２０２に戻って処理を継続する。
一方、ステップＳ２０９において、新たに報知入力コマンド部６３０が入力操作されたことを認識しない場合、メッセージ送信手段２５６は、例えば計時手段２５８で計時している現在時刻が、検知時間情報２４２Ａ３のアラート検知開始時間から設定時間情報２４２Ａ２の時間長を経過したか否かを判断する（ステップＳ２１０）。
このステップＳ２１０で、メッセージ送信手段２５６は、現在時刻がアラート検知開始時間から設定時間情報２４２Ａ２の時間長を経過していないと判断した場合には、ステップＳ２０８に戻って処理を継続する。
一方、ステップＳ２１０で、現在時刻がアラート検知開始時間から設定時間情報２４２Ａ２の時間長を経過したと判断した場合には、アラート検知開始時間およびアラート回数をリセットする処理をし、次の報知入力コマンド部６３０の入力操作に応じた操作信号の受信待機状態となる。
【０１０１】
また、ウェブページ６００を閲覧などしている受信者が、外出している旨のコメント表示領域６５０に表示されているにも係わらず人影が表示領域６２０に映し出されたことを認識することで、音声入力コマンド部６４０を受信側操作手段５２０で入力操作すると（ステップＳ３０１）、受信端末装置５００から音声データをサーバ装置２００へ送信する。
すなわち、受信端末装置５００の受信側制御手段５７０は、フォーム情報に基づいて、受信側音声入力制御手段５７２により受信側音声入力手段５３０を動作制御してマイクロフォン５３１で集音、例えば図１に示すように受信者が発声する「こらーっ」、「どろぼーっ」などを集音して音声データを生成させる（ステップＳ３０２）。
そして、受信側音声入力制御手段５７２は、受信側通信制御手段５７１により生成した音声データのストリームデータを、サーバ装置２００へ送信させる。
【０１０２】
ステップＳ３０１における音声入力コマンド部６４０の入力操作による操作信号、および受信端末装置５００から送信された音声データを受信したサーバ装置２００は、サーバ制御手段２５０の音声送信手段２５７により、操作信号に対応するウェブページ６００のアドレス情報２４１Ａ６のアドレスを認識する（ステップＳ３０３）。
そして、ストリームデータの映像データを送信し続けているアクセス中の送信元端末装置３００へ音声データを順次送信、すなわち転送する（ステップＳ３０４）。
このステップＳ３０４で転送される音声データを受信する送信元端末装置３００は、送信元制御手段３７０の送信元発音制御手段３７３により、編集フォームに基づいて音声データを送信元発音手段３４０のスピーカ３４１から再生させる（ステップＳ３０５）。
【０１０３】
〔保安システムの作用効果〕
上述したように、上記実施の形態では、ネットワーク１１０を介して送信元端末装置３００から送信されるコンテンツデータおよび映像データを、フォーム情報により、コンテンツ記述領域６１０にコンテンツデータが記述され、コンテンツ記述領域６１０に隣接した表示領域６２０に映像データが画面表示され、表示領域６２０に隣接して入力操作を促す旨で入力操作可能な報知入力コマンド部６３０が表示されるウェブページ６００として、ネットワーク１１０を介してサーバ装置２００から配信する。そして、サーバ制御手段２５０により、受信端末装置５００にて報知入力コマンド部６３０が入力操作されたことを認識すると、報知入力コマンド部６３０が入力操作されたウェブページ６００のアドレス情報２４１Ａ６に関連付けられた送信元情報２４１Ａの連絡先情報２４１Ａ５の連絡先へ、例えば音声情報や電子メールなどの所定のメッセージに関するメッセージ情報を送信させる。
このことにより、例えばいわゆるブログ（blog）と称され広く利用されているウェブログ（web-log）など、コンテンツデータを送信することで所定のフォームのウェブページ６００として適宜更新されて配信される構成に、送信元端末装置３００の送信元撮像手段３２０などにより撮像した映像や所定間隔毎の静止画像などの連続画像を合わせて表示させることで、不審者や火災などの異常状況が撮像されている場合、ウェブページ６００のコンテンツデータを受信端末装置５００で閲覧や縦覧している受信者が認識することとなる。
このため、異常状況を認識した受信者が報知入力コマンド部６３０を入力操作することで、そのウェブページ６００のコンテンツデータを送信し、撮像している場所に居ない送信元に所定のメッセージ情報が送信され、異常状況を報知できる。したがって、セキュリティ企業などを利用したり、高価なセキュリティ装置を利用したりすることなく、送信元はコンテンツデータおよび映像や連続画像などの画像データを送信する簡単な操作で異常状況に対して早急に対応することができ、例えばウェブログのフォームを一部変更する簡単な構成で容易に構築でき、保安性が容易に向上できるとともに、利用の拡大が容易に得られ、より保安性の向上が容易に得られる。
さらに、ウェブページ６００を多くの受信者が閲覧することにより、保安性が向上するので、送信元の送信元端末装置３００の管理者が、受信者の興味ある内容を頻繁に更新することとなり、本保安システム１００の利用の拡大が得られる。この利用の拡大により、頻繁な更新による閲覧数の向上により、会員数の増大やウェブページ６００に掲載する広告に基づくサーバ装置２００の管理者における収益の増大なども得られる。
【０１０４】
そして、サーバ制御手段２５０により、ウェブページ６００のフォームにおける表示領域６２０に隣接し受信端末装置５００の受信側操作手段５２０で入力操作可能で入力操作にて音声入力を促す旨で表示される音声入力コマンド部６４０が操作されると、そのウェブページ６００のアドレス情報２４１Ａ６のアドレス先へ、音声入力コマンド部６４０の入力操作で生成した音声データを送信させる。
このため、ウェブページ６００を受信して異常状況を認識した受信者が音声入力コマンド部６４０を入力操作して音声データを生成すると、その音声データがウェブページ６００の送信元端末装置３００へ送信されるので、不審者などに対して受信者が直ちに発声にて対応する状況が容易に得られ、より保安性の向上が容易に得られる。
また、音声入力コマンド部６４０の入力操作で送信される音声データは、友人ＩＤ情報２４２Ａ１に登録されていない受信者でも、設定回数に応じてメッセージ情報を送信処理するような操作頻度に係わらず送信元端末装置３００に転送して再生させている。このため、映像データが表示領域６２０で表示されて音声入力コマンド部６４０が操作可能となっている状態では、送信元が留守の場合であることから、仮に誤操作やいたずらなどでも再生される音声データにより、人が居るように演出されることとなり、侵入者などを防止でき、防犯性を向上できる。
【０１０５】
また、送信元情報２４１Ａの識別情報２４１Ａ１に、時間長に関する設定時間情報２４２Ａ２および報知入力コマンド部６３０が入力操作される閾値回数に関する設定回数情報２４２Ａ４を関連付けておく。そして、サーバ制御手段２５０により、報知入力コマンド部６３０の入力操作が実施されたことを認識すると、この入力操作が実施された時点から計時手段２５８で計時する時間が設定時間情報２４２Ａ２の時間長を経過するまでに、入力操作計数手段２５５で計数する報知入力コマンド部６３０の入力操作の実施された回数が設定回数情報２４２Ａ４の閾値回数に達したことを認識すると、ウェブページ６００の送信元の連絡先へ所定のメッセージ情報を送信させる。
このため、所定時間長の間に報知入力コマンド部６３０の入力操作の実施回数がある程度の頻度の回数で実施されたこととなり、報知入力コマンド部６３０の誤操作などではなく異常状況が発生している蓋然性が高いこととなり、この状態で異常状況がメッセージを送信元へ連絡することで、報知入力コマンド部６３０の誤操作毎にメッセージが送信されることの煩雑さなどを防止でき、かつ適切に異常状況に対応することが可能となる。
【０１０６】
さらに、送信元情報２４１Ａの設定時間情報２４２Ａ２の時間長と設定回数情報２４２Ａ４の閾値回数とを、送信元の送信元端末装置３００からネットワーク１１０を介して送信される変更要求信号に基づいて、例えば編集フォームにより変更可能としている。
このため、メッセージ情報が送信される条件となる単位時間当たりの報知入力コマンド部６３０の入力操作状況が、メッセージ情報を取得する送信元により変更可能であることから、例えばウェブページ６００の閲覧や縦覧などのアクセス頻度や保安性と誤操作との兼ね合いなどによりメッセージ情報の取得頻度が送信元毎の指向に応じて変更でき、使い勝手を向上でき、利用の拡大が容易に得られる。
【０１０７】
また、送信元情報２４１Ａの識別情報２４１Ａ１に、所定の受信元に関する友人ＩＤ情報２４２Ａ１を関連付けておく。そして、サーバ制御手段２５０により、報知入力コマンド部６３０の入力操作が実施されたことを認識すると、送信元情報２４１Ａの友人ＩＤ情報２４２Ａ１に基づいて、報知入力コマンド部６３０の入力操作を実施した受信元が所定の受信元か否かを判断する。そして、送信元が知人や所定のグループメンバなどとして信頼関係が得られた所定の受信元の報知入力コマンド部６３０の入力操作が実施されることで、誤操作などではなく異常状況が発生した蓋然性が高いこととなるので、直ちにメッセージ情報を送信元の送信元携帯通信端末装置４００へ送信させることで、より適切な異常状況の発生を報知でき、適切な保安が得られる。
なお、特定の友人や知人、特定のグループメンバなどの特定としては、識別情報２４１Ａ１に基づく友人ＩＤ情報２４２Ａ１に限らず、例えば、ウェブページ６００の閲覧を会員制として会員登録により設定されたＩＤ番号やパスワードなどの情報をウェブページ６００の閲覧のために受信元が受信端末装置５００の受信側操作手段５２０の入力操作で設定入力したことにより認識したり、ウェブページ６００のフォームに設けられ送信元からあらかじめ報知されたパスワードなどの受信元情報が入力されるテキストボックスなどに受信者が設定入力したことで認識したりするなどが例示できる。
【０１０８】
そして、送信元情報２４１Ａの識別情報２４１Ａ１に関連付けられる友人ＩＤ情報２４２Ａ１を、送信元の送信元端末装置３００からネットワーク１１０を介して送信される変更要求情報に基づいて、編集フォームなどにて変更可能としている。
このため、誤操作などではなく異常状況が発生した蓋然性が高い信頼関係が得られた受信元に関する情報を、送信元により変更できることから、より使い勝手が向上し、利用の拡大が容易に得られる。
【０１０９】
また、送信元情報２４１Ａの識別情報２４１Ａ１に関連付けられる友人ＩＤ情報２４２Ａ１を、ウェブページ６００の受信権限に関する受信権限情報、すなわち本保安システム１００を利用するために設定された識別番号２４１Ａ１などとしている。
このため、例えば送信元やウェブページ６００の配信サーバなどから受信権限が付与され身元確認が得られる受信元や送信元との信頼関係が得られた所定の受信元など、ウェブページ６００で再生される映像データに基づく異常状況に対応した信憑性の高い報知入力コマンド部６３０の入力操作によるメッセージ情報の送信ができ、適切な保安が容易に得られる。
【０１１０】
さらに、友人ＩＤ情報２４２Ａ１を他の送信元の識別情報、すなわち本保安システム１００を利用するために受信元に設定された識別番号２４１Ａ１としている。
このため、ウェブページ６００の送信元として設定される識別情報２４１Ａ１を利用することで、例えば会員登録に基づいて設定される識別情報２４１Ａ１を友人ＩＤ情報２４２Ａ１としても利用でき、別途認証などのためのデータを構築する必要がなく、適切な保安が容易に得られる構成が容易に得られる。
【０１１１】
そして、送信元がコンテンツデータを記述するウェブページ６００を、いわゆるブログと称されるウェブログとしている。
このため、広く利用され、コンテンツデータおよび映像や連続静止画像などの画像データを送信することで所定のフォームによりウェブページ６００として配信される使い勝手がよいウェブログであることから、利用が容易で利用の拡大が容易に得られるとともに、コンテンツデータの内容などによりアクセス頻度が容易に増大し、受信元のアクセスによる異常状況の発生の認知性が容易に向上しやすく、簡単な構成で利用が容易な適切な保安が容易に得られる。
【０１１２】
また、ウェブページ６００としてコンテンツデータが記述されるコンテンツ記述領域６１０を、映像データが画面表示される表示領域６２０とは独立してコンテンツデータをスクロールさせるスクロール機能を備えたフォームとしている。
このため、アクセス頻度を増大させるべく新たなコンテンツデータを頻繁に更新しても、スクロール機能により過去に記述されたコンテンツデータも容易に閲覧・縦覧ができ、過去の記述内容を受信元で閲覧していても、映像データの表示領域６２０は独立して受信元で視界に入るように常時表示させることが容易にでき、異常状況の発生の認知性を簡単な構成で容易に向上させることができる。
【０１１３】
さらに、送信元端末装置３００からネットワーク１１０を介して送信される切替要求信号に基づいて、ウェブページ６００として表示領域６２０で表示される映像データの受信端末装置５００の受信側表示手段５５０での表示の有無を切替可能としている。例えば、送信元端末装置３００からの映像データの編集フォームに基づく送信要求により映像データが表示領域６２０で再生され、送信されていない際には表示させないようにしている。
このため、例えば送信元自身や送信元の家族などが映像データとして撮像している場所近傍に滞在している場合など、メッセージ情報の送信を必要としない場合では、送信元が切替要求信号を送信することで、映像データを表示させない、あるいは表示領域６２０を表示させないなどの状態が容易に設定でき、より使い勝手がよく適切な保安が容易に得られる。特に、映像データの送信の有無に基づいて、フォーム情報で所定のスクリーン画像を表示させたり表示領域６２０を表示させないようにしたりして、コマンドボタンなどの特別な入力操作による切替要求を送信させる処理を実施しなくても、自動的に映像データの送信の有無のみで切り替えられるので、より使い勝手を向上できる。
さらには、映像データの表示領域６２０における表示状況に応じて、報知入力コマンド部６３０や音声入力コマンド部６４０をも入力操作を実施可能あるいは不可能としたり、表示あるいは非表示としたりするなどにより、受信者による誤作動やいたずらなども防止でき、より適切に送信元へ異常状況の報知ができる。
【０１１４】
そして、サーバ制御手段２５０を例えばＣＰＵなどを用いてプログラムとして構成しているので、プログラムをインストールすることで、例えばサーバ装置２００として機能させてブログを閲覧している受信者にて異常状況を報知してもらう保安システム１００を構築させることが容易にでき、利用の拡大が容易に図れる。さらには、そのプログラムを記録媒体に記録し、コンピュータなどに適宜読み取らせる構成とすることで、容易に保安システム１００を構築でき、またプログラムを容易に取り扱いでき、利用の拡大が容易にできる。なお、本発明における演算手段としては、１つのコンピュータに限らず、複数のコンピュータをネットワーク状に組み合わせた構成、上述したようなＣＰＵやマイクロコンピュータなどの素子、あるいは複数の電子部品が搭載された回路基板などをも含む。
【０１１５】
また、送信元から送信される映像データを、サーバ装置２００のサーバ記憶手段２４０に記憶している。
このため、仮に不審者が侵入して送信元に被害が生じた場合における証拠資料として直ちに利用できる。したがって、本保安システム１００の利用拡大のために内容を知らしめることで、防犯にも寄与することとなる。
【０１１６】
〔実施形態の変形〕
なお、本発明は、上述した各実施の形態に限定されるものではなく、本発明の目的を達成できる範囲で以下に示される変形をも含むものである。
【０１１７】
すなわち、保安システム１００として送信元端末装置３００を備えて構成する場合に限らず、上述したように、サーバ装置２００を構築することで、ブログのコンテンツデータを提供する端末が送信元端末装置３００となり、ブログを受信する端末が受信端末装置５００として機能することとなり、保安システム１００が構築されることとなる。
このため、サーバ装置２００自体を単独で、あるいはサーバ装置２００として機能させるプログラム、このプログラムを記録した記録媒体などとして、流通させてもよい。
また、本保安システム１００の利用を会員のみに制限する会員制を例示して説明したが、会員制とせず、ホームページなどの一般的にアクセス可能な構成としてもよい。なお、上記実施形態では、会員制としているので、いたずらなどを抑制でき、より確実な受信者の入力操作による送信元への報知が得られる。
【０１１８】
そして、ウェブページ６００の構成として、音声入力コマンド部６４０を設け、受信端末装置５００からの音声データの送信元端末装置３００へ転送させて再生させる構成をも設けて説明したが、単に報知入力コマンド部６３０を設ける構成としてもよい。
さらには、友人ＩＤ情報２４２Ａ１などにて特定の受信者による入力操作により、例えば警察や消防署などの治安機構や防犯機構などにメッセージ情報や映像データが転送されるようにしてもよい。この場合、送信元の送信元情報２４１Ａにおける住所情報２４１Ａ３を合わせて治安機構や防犯機構の端末などへネットワーク１１０を介して送信させるとよい。
【０１１９】
また、メッセージとして不審者などによる異常状況に対する内容に限らない。すなわち、本保安システム１００としては、不審者に対する場合に限らず、例えば火災や漏電などの状態を映し出している場合に受信者の入力操作により報知する構成としてもよい。
さらに、メッセージとしては、サーバ装置２００にあらかじめ記憶された構成に限らず、例えば受信者がテキスト入力したメッセージ情報を、上述した実施形態の音声データのようにサーバ装置２００で転送させるなどしてもよい。
【０１２０】
そして、友人ＩＤ情報２４２Ａ１に登録された知人などの受信者が報知入力コマンド部６３０を操作することで、直ちにメッセージ情報を送信元携帯通信端末装置４００へ送信する構成としたが、単に所定時間の間における設定回数以上の入力操作に基づいてメッセージ情報を送信する構成としてもよい。
この構成によれば、友人ＩＤ情報２４２Ａ１を設ける必要がなく、特定の知人か否かなどの判断処理も不要となり、構成をより簡略化できる。
さらには、友人ＩＤ情報２４２Ａ１に登録された知人などの受信者が報知入力コマンド部６３０を入力操作することで、例えば知人以外の一般の受信者が入力操作する場合に比して高いスコア付けをし、設定スコア値以上になった際にメッセージ情報を送信するなど、操作回数のみならず、スコア値などの重み付けによりメッセージ情報を送信させるなどしてもよい。
【０１２１】
また、設定時間情報２４２Ａ２および設定回数情報２４２Ａ４を送信元端末装置３００から変更可能としたが、あらかじめサーバ装置２００に設定された時間および回数として変更不可としてもよい。
さらに、友人ＩＤ情報２４２Ａ１を本保安システム１００の登録時の識別情報２４１Ａ１としたが、上述したように、送信元と取り決めたパスワードなどを用いるなどしてもよい。また、上述したように、友人ＩＤ情報２４２Ａ１を設けずに知人などの特定の受信者を区別することなく、例えば受信者の報知入力コマンド部６３０の入力操作の頻度に応じてメッセージ情報を送信元へ送信するなどしてもよい。
【０１２２】
そして、ウェブページ６００としては、ウェブログに関するもので、例えば過去のコンテンツデータは、別途設けた別ページにて閲覧可能とするなど、図７に示すような形態に限らない。また、コンテンツ記述領域６１０にスクロールバー６１１を設けなくてもよい。
また、映像データの送信の有無により、表示が自動的に切り替えられる状態を例示したが、例えば編集フォームなどに基づいて、送信元が入力操作により表示の受けを切替可能としてもよい。
【０１２３】
その他、本発明の実施の際の具体的な構造および手順は、本発明の目的を達成できる範囲で他の構造などに適宜変更できる。
【産業上の利用可能性】
【０１２４】
本発明は、ウェブログなどの不特定多数に配信されるウェブページに送信元からストリームデータの映像や所定間隔で連続する静止画像などの画像データを、ウェブページを受信している受信端末で表示させ、受信者にて不審者や火災、漏電などの異常状況に対応してその旨を報知してもらう保安に利用できる。
【図面の簡単な説明】
【０１２５】
【図１】本発明における一実施の形態に係る保安システムの概略構成を示すブロックである。
【図２】前記実施の形態における保安システムを構成する送信元端末装置の概略構成を示すブロック図である。
【図３】前記実施の形態における保安システムを構成する受信端末装置の概略構成を示すブロック図である。
【図４】前記実施の形態における保安システムを構成するサーバ装置の概略構成を示すブロック図である。
【図５】前記実施の形態におけるサーバ装置の送信元情報記憶領域のテーブル構造を模式的に示す概念図である。
【図６】前記実施の形態におけるサーバ装置の保安条件情報記憶領域のテーブル構造を模式的に示す概念図である。
【図７】前記実施の形態におけるウェッブブラウザによる画面表示で表示されるウェブファイルのブログであるウェブページの表示画面を示す概念図である。
【図８】前記実施の形態におけるウェブページ送信処理動作を示す動作フローチャートである。
【図９】前記実施の形態における報知処理動作におけるメッセージ送信の処理に関する動作を示すフローチャートである。
【図１０】報知処理動作における音声転送に関する動作を示すフローチャートである。
【符号の説明】
【０１２６】
１００………保安システム
１１０………ネットワーク
２００………保安装置としても機能するサーバ装置
２５０………演算手段である制御手段としてのサーバ制御手段
２４１………送信元情報記憶手段としての送信元情報記憶領域
２４１Ａ……送信元情報
２４１Ａ１…識別情報
２４１Ａ５…連絡先情報
２４１Ａ６…アドレス情報
２４２………送信元情報記憶手段を構成する保安条件情報記憶領域
２４２Ａ……送信元情報を構成する保安条件情報
２４２Ａ１…受信元情報である受信権限情報としての識別情報である友人ＩＤ情報
２４２Ａ２…時間情報として設定時間情報
２４２Ａ４…回数情報としての設定回数情報
２４３………フォーム記憶手段としてのフォーム記憶領域
２４４………ウェブページ情報記憶手段を構成するウェブページ記憶領域
２４５………ウェブページ情報記憶手段を構成する映像データ記憶領域
２５１………データ取得手段としてのコンテンツデータ取得手段
２５２………データ取得手段としての映像データ取得手段
２５５………入力操作計数手段
２５８………計時手段
３００………送信元端末装置
３２０………撮像手段としての送信元撮像手段
５００………受信端末装置
６００………ウェブページ
６１０………コンテンツ記述領域
６１１………スクロールバー
６２０………表示領域
６３０………入力部としての報知入力コマンド部
６４０………音声入力部としての音声入力コマンド部
【図１】
2008027314.tif 000003
【図２】
2008027314.tif 000004
【図３】
2008027314.tif 000005
【図４】
2008027314.tif 000006
【図５】
2008027314.tif 000007
【図６】
2008027314.tif 000008
【図７】
2008027314.tif 000009
【図８】
2008027314.tif 000010
【図９】
2008027314.tif 000011
【図１０】
2008027314.tif 000012